(57)【特許請求の範囲】
【請求項１】
取得モジュールと、前処理モジュールと、情報処理モジュールと、エネルギー収集モジュールとを備え、
前記取得モジュールは、無線通信システムのアンテナによって受信された少なくとも１つの無線信号を取得し、処理を実行するために前記取得された無線信号を前記前処理モジュールに送信するように構成され、
前記前処理モジュールは、現在処理中である無線信号が、処理される必要があるデータパケットを担持するかどうかを入力フィードバック情報に従って決定し、現在処理中である前記無線信号が、処理される必要がある前記データパケットを担持すると決定した場合、処理を実行するために現在処理中である前記無線信号を前記情報処理モジュールに送信し、または、現在処理中である前記無線信号が、処理される必要がある前記データパケットを担持しないと決定した場合、処理を実行するために現在処理中である前記無線信号を前記エネルギー収集モジュールに送信するように構成され、
前記情報処理モジュールは、現在処理中であり前記前処理モジュールによって送信された前記無線信号を受信し、現在処理中である前記無線信号内で担持された前記データパケット内で担持された通信情報を抽出するように構成され、
前記エネルギー収集モジュールは、現在処理中であり前記前処理モジュールによって送信された前記無線信号を受信し、現在処理中である前記無線信号のエネルギーを収集するように構成された、ことを特徴とする無線信号処理装置。
【請求項２】
前記前処理モジュールは、
現在処理中である前記無線信号の信号特性を取得するように構成された第１の取得ユニットと、
現在処理中である前記無線信号が、処理される必要がある前記データパケットを担持するかどうかを、現在処理中である前記無線信号の前記信号特性に従って決定するように構成された第１の決定ユニットと
を備えたことを特徴とする請求項１に記載の装置。
【請求項３】
前記信号特性は前記信号の中心周波数を含み、前記第１の取得ユニットが、現在処理中である前記無線信号の前記中心周波数を取得するように構成され、
前記第１の決定ユニットは、現在処理中である前記無線信号の前記中心周波数とその前記無線通信システムの動作チャネルの中心周波数とのマッチングを実行し、現在処理中である前記無線信号の前記中心周波数がその前記無線通信システムの前記動作チャネルの前記中心周波数と一致するとき、現在処理中である前記無線信号が、処理される必要がある前記データパケットを担持すると決定するように構成された
ことを特徴とする請求項２に記載の装置。
【請求項４】
無線トランシーバスケジューリングおよび管理モジュールをさらに備え、
前記無線トランシーバスケジューリングおよび管理モジュールは、
前記入力フィードバック情報を取得するように構成された取得ユニットであって、前記入力フィードバック情報は、現在処理中である前記無線信号は処理される必要がある前記データパケットを担持するかどうかを示すために使用される、該取得ユニットと、
前記入力フィードバック情報を前記前処理モジュールに送信するように構成された送信ユニットと
を備え、
前記前処理モジュールは、
前記無線トランシーバスケジューリングおよび管理モジュールによって取得された前記入力フィードバック情報を取得するように構成された第２の取得ユニット
を備えたことを特徴とする請求項１に記載の装置。
【請求項５】
前記入力フィードバック情報は、処理される必要がある前記データパケットを担持する無線信号が入力された瞬間を含み、前記第２の取得ユニットが、処理される必要がある前記データパケットを担持する前記無線信号が入力された前記瞬間を取得するように構成され、
前記第２の決定ユニットは、現在処理中である前記無線信号が受信された瞬間を決定し、現在処理中である前記無線信号が受信された前記瞬間と処理される必要がある前記データパケットを担持する前記無線信号が入力された前記瞬間とのマッチングを実行し、現在処理中である前記無線信号が受信された前記瞬間が、処理される必要がある前記データパケットを担持する前記無線信号が入力された前記瞬間と合致するとき、現在処理中である前記無線信号が、処理される必要がある前記データパケットを担持すると決定するように構成された、ことを特徴とする請求項４に記載の装置。
【請求項６】
前記無線トランシーバスケジューリングおよび管理モジュール内の前記取得ユニットは、処理される必要がある前記データパケットを担持する前記無線信号が入力された前記瞬間を決定し、処理される必要がある前記データパケットを担持する前記無線信号が入力された前記瞬間を含む前記入力フィードバック情報を生成するように構成されたことを特徴とする請求項５に記載の装置。
【請求項７】
前記入力フィードバック情報は、現在処理中である前記無線信号の前の信号のインジケーション情報を含み、前記第２の取得ユニットは、現在処理中である前記無線信号の前記前の信号の前記インジケーション情報を取得するように構成され、
前記第２の決定ユニットは、現在処理中である前記無線信号の前記前の信号の前記インジケーション情報が、処理される必要がある前記データパケットを担持する次の無線信号が存在することを示すかどうかを決定し、現在処理中である前記無線信号の前記前の信号の前記インジケーション情報が、処理される必要がある前記データパケットを担持する前記次の無線信号が存在することを示すとき、現在処理中である前記無線信号が、処理される必要がある前記データパケットを担持すると決定するように構成された、ことを特徴とする請求項４に記載の装置。
【請求項８】
前記無線トランシーバスケジューリングおよび管理モジュール内の前記取得ユニットは、前記情報処理モジュールから、現在処理中である前記無線信号の前記前の信号の前記インジケーション情報を取得し、現在処理中である前記無線信号の前記前の信号の前記インジケーション情報を前記入力フィードバック情報として使用することによって、現在処理中である前記無線信号の前記前の信号の前記インジケーション情報を含む前記入力フィードバック情報を取得するように構成されたことを特徴とする請求項７に記載の装置。
【請求項９】
前記前処理モジュールは、
現在処理中である前記無線信号を受信するアンテナを決定するように構成された第３の決定ユニットと、
現在処理中である前記無線信号を受信する前記アンテナが、処理される必要がある前記データパケットを担持する無線信号を受信するように構成されたあらかじめ設定されたアンテナであるかどうかを決定するように構成された第４の決定ユニットと、
現在処理中である前記無線信号を受信する前記アンテナが、処理される必要がある前記データパケットを担持する前記無線信号を受信するように構成された前記あらかじめ設定されたアンテナであると決定されるとき、現在処理中である前記無線信号が、処理される必要がある前記データパケットを担持すると決定するように構成された第５の決定ユニットと
を備えたことを特徴とする請求項１に記載の装置。
【請求項１０】
現在処理中である前記無線信号を解析し、解析結果に従って、現在処理中である前記無線信号の信号フォーマットを得るように構成された解析モジュール
をさらに備え、
前記前処理モジュールは、
現在処理中である前記無線信号がその前記無線通信システムの無線信号であるかどうかを、現在処理中である前記無線信号の前記信号フォーマットに従って決定するように構成された第６の決定ユニットと、
現在処理中である前記無線信号がその前記無線通信システムの無線信号であると決定されるとき、現在処理中である前記無線信号が、処理される必要がある前記データパケットを担持するかどうかを決定するように構成された第７の決定ユニットと
を備えたことを特徴とする請求項２ないし９のいずれか一項に記載の装置。
【請求項１１】
現在処理中である前記無線信号が、処理される必要がある前記データパケットを担持するとき、現在処理中である前記無線信号を受信するアンテナの利得値を減少させ、または、現在処理中である前記無線信号が、処理される必要がある前記データパケットを担持しないとき、現在処理中である前記無線信号を受信するアンテナの利得値を増加させるように構成された利得調整モジュール
をさらに備えたことを特徴とする請求項１に記載の装置。
【請求項１２】
その無線通信システムのアンテナによって受信された少なくとも１つの無線信号を取得するステップと、
現在処理中である無線信号が、処理される必要があるデータパケットを担持するかどうかを入力フィードバック情報に従って決定するステップと、
現在処理中である前記無線信号が、処理される必要がある前記データパケットを担持する場合、現在処理中である前記無線信号内で担持される前記データパケット内で担持される通信情報を抽出するステップ、または、
現在処理中である前記無線信号が、処理される必要がある前記データパケットを担持しない場合、現在処理中である前記無線信号のエネルギーを収集するステップと
を含むことを特徴とする無線信号処理方法。
【請求項１３】
現在処理中である無線信号が、処理される必要があるデータパケットを担持するかどうかを決定する前記ステップは、
現在処理中である前記無線信号の信号特性を取得するステップと、
現在処理中である前記無線信号が、処理される必要がある前記データパケットを担持するかどうかを、現在処理中である前記無線信号の前記信号特性に従って決定するステップと
を含むことを特徴とする請求項１２に記載の方法。
【請求項１４】
前記信号特性は、前記信号の中心周波数を含み、現在処理中である前記無線信号の信号特性を取得する前記ステップは、
現在処理中である前記無線信号の前記中心周波数を取得するステップ
を含み、
現在処理中である前記無線信号が、処理される必要がある前記データパケットを担持するかどうかを、現在処理中である前記無線信号の前記信号特性に従って決定する前記ステップは、
現在処理中である前記無線信号の前記中心周波数とその前記無線通信システムの動作チャネルの中心周波数とのマッチングを実行するステップと、
現在処理中である前記無線信号の前記中心周波数が、その前記無線通信システムの前記動作チャネルの前記中心周波数と一致する場合、現在処理中である前記無線信号が、処理される必要がある前記データパケットを担持すると決定するステップと
を備えたことを特徴とする請求項１３に記載の方法。
【請求項１５】
現在処理中である無線信号が、処理される必要があるデータパケットを担持するかどうかを決定する前記ステップは、
前記入力フィードバック情報を取得するステップ
を含むことを特徴とする請求項１２に記載の方法。
【請求項１６】
前記入力フィードバック情報は、処理される必要がある前記データパケットを担持する無線信号が入力された瞬間を含み、入力フィードバック情報を取得する前記ステップは、
処理される必要がある前記データパケットを担持する前記無線信号が入力された前記瞬間を取得するステップ
を含み、
現在処理中である前記無線信号が、処理される必要がある前記データパケットを担持するかどうかを、前記入力フィードバック情報に従って決定する前記ステップは、
現在処理中である前記無線信号が受信された瞬間を決定するステップと、
現在処理中である前記無線信号が受信された前記瞬間と処理される必要がある前記データパケットを担持する前記無線信号が入力された前記瞬間とのマッチングを実行するステップと、
現在処理中である前記無線信号が受信された前記瞬間が、処理される必要がある前記データパケットを担持する前記無線信号が入力された前記瞬間と合致する場合、現在処理中である前記無線信号が、処理される必要がある前記データパケットを担持すると決定するステップと
を含むことを特徴とする請求項１５に記載の方法。
【請求項１７】
処理される必要がある前記データパケットを担持する前記無線信号が入力された前記瞬間を取得する前記ステップは、
処理される必要がある前記データパケットを担持する前記無線信号が入力された前記瞬間を決定するステップと、
処理される必要がある前記データパケットを担持する前記無線信号が入力された前記瞬間を含む前記入力フィードバック情報を生成するステップと
を含むことを特徴とする請求項１６に記載の方法。
【請求項１８】
前記入力フィードバック情報は、現在処理中である前記無線信号の前の信号のインジケーション情報を含み、入力フィードバック情報を取得する前記ステップは、
現在処理中である前記無線信号の前記前の信号の前記インジケーション情報を取得するステップ
を含み、
現在処理中である前記無線信号が、処理される必要がある前記データパケットを担持するかどうかを、前記入力フィードバック情報に従って決定する前記ステップは、
現在処理中である前記無線信号の前記前の信号の前記インジケーション情報が、処理される必要がある前記データパケットを担持する次の無線信号が存在することを示すかどうかを決定するステップと、
現在処理中である前記無線信号の前記前の信号の前記インジケーション情報が、処理される必要がある前記データパケットを担持する前記次の無線信号が存在することを示す場合、現在処理中である前記無線信号が、処理される必要がある前記データパケットを担持すると決定するステップと
を含むことを特徴とする請求項１５に記載の方法。
【請求項１９】
現在処理中である前記無線信号の前記前の信号の前記インジケーション情報を取得する前記ステップは、
現在処理中である前記無線信号の前記前の信号を処理し、現在処理中である前記無線信号の前記前の信号の前記インジケーション情報を取得し、現在処理中である前記無線信号の前記前の信号の前記インジケーション情報を含む前記入力フィードバック情報を、現在処理中である前記無線信号の前記前の信号の前記インジケーション情報を前記入力フィードバック情報として使用することによって、取得するステップ
を含むことを特徴とする請求項１８に記載の方法。
【請求項２０】
現在処理中である無線信号が、処理される必要があるデータパケットを担持するかどうかを決定する前記ステップは、
現在処理中である前記無線信号を受信するアンテナを決定するステップと、
現在処理中である前記無線信号を受信する前記アンテナが、処理される必要がある前記データパケットを担持する無線信号を受信するように構成されたあらかじめ設定されたアンテナであるかどうかを決定するステップと、
現在処理中である前記無線信号を受信する前記アンテナが、処理される必要がある前記データパケットを担持する前記無線信号を受信するように構成された前記あらかじめ設定されたアンテナであると決定される場合、現在処理中である前記無線信号が、処理される必要がある前記データパケットを担持すると決定するステップと
を含むことを特徴とする請求項１２に記載の方法。
【請求項２１】
現在処理中である無線信号が、処理される必要があるデータパケットを担持するかどうかを決定する前記ステップの前に、
現在処理中である前記無線信号を解析するステップと、
解析結果に従って、現在処理中である前記無線信号の信号フォーマットを得るステップと、
現在処理中である前記無線信号がその前記無線通信システムの無線信号であるかどうかを、現在処理中である前記無線信号の前記信号フォーマットに従って決定するステップと、
現在処理中である前記無線信号が、その前記無線通信システムの無線信号であると決定される場合、現在処理中である無線信号が、処理される必要があるデータパケットを担持するかどうかを決定する前記ステップを実行するステップと
をさらに含むことを特徴とする請求項１３ないし２０のいずれか１つに記載の方法。
【請求項２２】
現在処理中である無線信号が、処理される必要があるデータパケットを担持するかどうかを決定する前記ステップの後に、
現在処理中である前記無線信号が、処理される必要がある前記データパケットを担持する場合、現在処理中である前記無線信号を受信するアンテナの利得値を減少させるステップ、または、
現在処理中である前記無線信号が、処理される必要がある前記データパケットを担持しない場合、現在処理中である前記無線信号を受信するアンテナの利得値を増加させるステップ
をさらに含むことを特徴とする請求項１２に記載の方法。
【請求項２３】
少なくとも１つのプロセッサと受信機とを備える端末であって、
前記受信機は、その無線通信システムのアンテナによって受信された少なくとも１つの無線信号を取得し、処理を実行するために前記取得された無線信号を前記プロセッサに送信するように構成され、
前記プロセッサは、現在処理中である無線信号が、処理される必要があるデータパケットを担持するかどうかを決定し、現在処理中である前記無線信号が、処理される必要がある前記データパケットを担持する場合、現在処理中である前記無線信号内で担持される前記データパケット内で担持される通信情報を抽出する、または、現在処理中である前記無線信号が、処理される必要がある前記データパケットを担持しない場合、現在処理中である前記無線信号のエネルギーを収集するように構成され、
前記プロセッサは、入力フィードバック情報を取得し、現在処理中である前記無線信号が、処理される必要がある前記データパケットを担持するかどうかを前記入力フィードバック情報に従って決定するようにさらに構成されたことを特徴とする端末。
【請求項２４】
前記プロセッサは、現在処理中である前記無線信号の信号特性を取得し、現在処理中である前記無線信号が、処理される必要がある前記データパケットを担持するかどうかを、現在処理中である前記無線信号の前記信号特性に従って決定するようにさらに構成されたことを特徴とする請求項２３に記載の端末。
【請求項２５】
前記信号特性は、前記信号の中心周波数を含み、前記プロセッサは、現在処理中である前記無線信号の前記中心周波数を取得し、現在処理中である前記無線信号の前記中心周波数とその前記無線通信システムの動作チャネルの中心周波数とのマッチングを実行し、現在処理中である前記無線信号の前記中心周波数がその前記無線通信システムの前記動作チャネルの前記中心周波数と一致する場合、現在処理中である前記無線信号が、処理される必要がある前記データパケットを担持すると決定するようにさらに構成されたことを特徴とする請求項２４に記載の端末。
【請求項２６】
前記入力フィードバック情報は、処理される必要がある前記データパケットを担持する無線信号が入力された瞬間を含み、前記プロセッサは、処理される必要がある前記データパケットを担持する前記無線信号が入力された前記瞬間を取得し、現在処理中である前記無線信号が受信された瞬間を決定し、現在処理中である前記無線信号が受信された前記瞬間と処理される必要がある前記データパケットを担持する前記無線信号が入力された前記瞬間とのマッチングを実行し、現在処理中である前記無線信号が受信された前記瞬間が、処理される必要がある前記データパケットを担持する前記無線信号が入力された前記瞬間と合致する場合、現在処理中である前記無線信号が、処理される必要がある前記データパケットを担持すると決定する、ようにさらに構成されたことを特徴とする請求項２３に記載の端末。
【請求項２７】
前記プロセッサは、処理される必要がある前記データパケットを担持する前記無線信号が入力された前記瞬間を決定し、処理される必要がある前記データパケットを担持する前記無線信号が入力された前記瞬間を含む前記入力フィードバック情報を生成するようにさらに構成されたことを特徴とする請求項２６に記載の端末。
【請求項２８】
前記入力フィードバック情報は、現在処理中である前記無線信号の前の信号のインジケーション情報を含み、前記プロセッサは、現在処理中である前記無線信号の前記前の信号の前記インジケーション情報を取得し、現在処理中である前記無線信号の前記前の信号の前記インジケーション情報が、処理される必要がある前記データパケットを担持する次の無線信号が存在することを示すかどうかを決定し、現在処理中である前記無線信号の前記前の信号の前記インジケーション情報が、処理される必要がある前記データパケットを担持する前記次の無線信号が存在することを示す場合、現在処理中である前記無線信号が、処理される必要がある前記データパケットを担持すると決定する、ようにさらに構成されたことを特徴とする請求項２３に記載の端末。
【請求項２９】
前記プロセッサは、現在処理中である前記無線信号の前記前の信号を処理し、現在処理中である前記無線信号の前記前の信号の前記インジケーション情報を取得し、現在処理中である前記無線信号の前記前の信号の前記インジケーション情報を含む前記入力フィードバック情報を、現在処理中である前記無線信号の前記前の信号の前記インジケーション情報を前記入力フィードバック情報として使用することによって取得する、ようにさらに構成されることを特徴とする請求項２８に記載の端末。
【請求項３０】
前記プロセッサは、現在処理中である前記無線信号を受信するアンテナを決定し、現在処理中である前記無線信号を受信する前記アンテナが、処理される必要があるデータパケットを担持する無線信号を受信するように構成されたあらかじめ設定されたアンテナであるかどうかを決定し、現在処理中である無線信号を受信するアンテナが、処理される必要がある前記データパケットを担持する無線信号を受信するように構成されたあらかじめ設定されたアンテナであると決定されたとき、現在処理中である前記無線信号が、処理される必要がある前記データパケットを担持すると決定される、ようにさらに構成されたことを特徴とする請求項２３に記載の端末。
【請求項３１】
前記プロセッサは、現在処理中である前記無線信号を解析し、解析結果に従って、現在処理中である前記無線信号の信号フォーマットを得て、現在処理中である前記無線信号がその前記無線通信システムの無線信号であるかどうかを、現在処理中である前記無線信号の前記信号フォーマットに従って決定し、現在処理中である前記無線信号がその前記無線通信システムの無線信号であると決定された場合、現在処理中である前記無線信号が、処理される必要がある前記データパケットを担持するかどうかを決定する前記ステップを実行する、ようにさらに構成されたことを特徴とする請求項２４ないし３０のいずれか１つに記載の端末。
【請求項３２】
前記プロセッサは、現在処理中である前記無線信号が、処理される必要がある前記データパケットを担持する場合、現在処理中である前記無線信号を受信するアンテナの利得値を減少させ、または、現在処理中である前記無線信号が、処理される必要がある前記データパケットを担持しない場合、現在処理中である前記無線信号を受信するアンテナの利得値を増加させる、ようにさらに構成されたことを特徴とする請求項２３に記載の端末。
【発明の詳細な説明】
【技術分野】
【０００１】
本発明は、通信分野に関し、詳細には、無線信号処理装置、無線信号処理方法、ならびに端末に関する。
【背景技術】
【０００２】
無線通信技術は、無線信号が空間において自由に伝搬可能である特性を使用することによって情報が交換される通信手法である。通信技術が急速に発展するにつれて、無線通信技術はますます発達し、通信を実施するために多くの情報伝送分野にすでに適用されており、これによって、人々の生活に大きな利便性がもたらされる。無線通信技術が、通信を実施するために使用されるとき、無線信号送出側と無線信号受信側との間で転送される信号はすべて無線信号であり、無線信号を受信した後、無線信号受信側は、受信された無線信号を処理して、無線信号内で担持される通信情報を得る必要がある。さらに、無線信号は電気エネルギーの一種であるので、無線信号は、通信情報を送るためだけでなく、エネルギーを収集するためにも使用可能である。たとえば、無線充電技術は、無線信号を使用することによって収集されるエネルギーを使用することによって充電が実行される技術である。
【０００３】
一般に、無線信号受信側によって受信される無線信号は、２つの機能、すなわち、通信のために使用される無線信号と無線充電のために使用される無線信号を有する。無線信号が通信のために使用されるとき、処理される必要があるデータパケットは通常、無線信号内で担持され、データパケットは通信情報を担持する。したがって、通信のために使用される無線信号が関連技術において処理されるとき、使用される方法は、少なくとも１つの無線信号を無線信号受信側によって受信すること、および受信された無線信号から、処理される必要があるデータパケットを担持する無線信号を選択し、次いで、処理される必要があるデータパケットを担持する無線信号を処理すること、または、受信された無線信号が、処理される必要があるデータパケットを担持しない場合、無線信号を破棄すること、である。さらに、収集された無線信号を使用することによって無線充電が実行される例が使用される。関連技術では、無線信号受信側が、受信された無線信号を使用することによって無線充電を実行するとき、無線信号受信側はまた、受信された無線信号から、無線充電を実行するために使用される無線信号を選択し、選択された無線信号を使用することによって無線充電を実行する。または、受信された無線信号が、無線充電のために使用される無線信号でない場合、無線信号受信側は無線信号を破棄する。
【０００４】
本発明を実施するプロセスにおいて、発明者は、関連技術が少なくとも以下の問題を有することを見出した。
【０００５】
無線信号が関連技術において処理されるとき、無線信号受信側によって受信される無線信号は、２つの種類、すなわち、通信を実行するために使用される無線信号と、無線充電のために使用される無線信号に、はっきりと分類されるからである。すなわち、関連技術において、通信を実行するために使用される無線信号および無線充電のために使用される無線信号を処理するプロセスは、２つの比較的独立したプロセスである。通信を実行するために使用される無線信号では、無線信号は、処理される必要があるデータパケットを無線信号が担持するときに処理される。そうでない場合、無線信号は破棄される。処理される必要があるデータパケットを担持しない無線信号は何らかのエネルギーを担持するので、無線信号が直接破棄される場合、リソース浪費が容易に引き起こされる。そのうえ、無線信号受信側が、処理される必要があるデータパケットを担持しない無線信号を受信するので、何らかのシステムリソースが浪費される。無線充電を実行するために使用される無線信号では、受信される無線信号が、無線充電のために使用される無線信号でない場合、信号は破棄され、これもリソース浪費を引き起こす。
【発明の概要】
【発明が解決しようとする課題】
【０００６】
本発明では、改善された、無線信号処理装置、無線信号処理方法、ならびに端末を提供する。
【課題を解決するための手段】
【０００７】
関連技術における問題を解決するために、本発明の実施形態は、無線信号処理装置および無線信号処理方法および端末を提供する。技術的解決策は以下の通りである。
【０００８】
第１の態様によれば、無線信号処理装置が提供され、この装置は、取得モジュールと、前処理モジュールと、情報処理モジュールと、エネルギー収集モジュールとを含み、
取得モジュールは、その無線通信システムのアンテナによって受信された少なくとも１つの無線信号を取得し、処理を実行するために取得された無線信号を前処理モジュールに送信するように構成され、
前処理モジュールは、現在処理中である無線信号が、処理される必要があるデータパケットを担持するかどうかを決定し、現在処理中である無線信号が、処理される必要があるデータパケットを担持すると決定された場合、現在処理中である無線信号を情報処理モジュールに送信して、処理を実行し、または、現在処理中である無線信号が、処理される必要があるデータパケットを担持しないと決定された場合、現在処理中である無線信号をエネルギー収集モジュールに送信して、処理を実行するように構成され、
情報処理モジュールは、現在処理中であり前処理モジュールによって送信された無線信号を受信し、現在処理中である無線信号内で担持されるデータパケット内で担持される通信情報を抽出するように構成され、
エネルギー収集モジュールは、現在処理中であり前処理モジュールによって送信された無線信号を受信し、現在処理中である無線信号のエネルギーを収集するように構成される。
【０００９】
第１の態様を参照して、第１の態様の第１の可能な実装手法において、前処理モジュールは、
現在処理中である無線信号の信号特性を取得するように構成された第１の取得ユニットと、
現在処理中である無線信号が、処理される必要があるデータパケットを担持するかどうかを、現在処理中である無線信号の信号特性に従って決定する、ように構成された第１の決定ユニットと
を含む。
【００１０】
第１の態様の第１の可能な実装手法を参照して、第１の態様の第２の可能な実装手法では、信号特性は信号の中心周波数を含み、第１の取得ユニットは、現在処理中である無線信号の中心周波数を取得するように構成され、
第１の決定ユニットは、現在処理中である無線信号の中心周波数とその無線通信システムの動作チャネルの中心周波数とのマッチングを実行し、現在処理中である無線信号の中心周波数がその無線通信システムの動作チャネルの中心周波数と一致するとき、現在処理中である無線信号が、処理される必要があるデータパケットを担持すると決定する、ように構成される。
【００１１】
第１の態様を参照して、第１の態様の第３の可能な実装手法では、装置は無線トランシーバ（ｔｒａｎｓｃｅｉｖｅｒ）スケジューリングおよび管理モジュールをさらに含み、
この無線トランシーバスケジューリングおよび管理モジュールは、
入力フィードバック情報を取得するように構成された取得ユニットであって、この入力フィードバック情報が、現在処理中である無線信号は処理される必要があるデータパケットを担持するかどうかを示すために使用される、取得ユニットと、
入力フィードバック情報を前処理モジュールに送信するように構成された送信ユニットと
を備え、
前処理モジュールは、
無線トランシーバスケジューリングおよび管理モジュールによって取得された入力フィードバック情報を取得するように構成された第２の取得ユニットと、
現在処理中である無線信号が、処理される必要があるデータパケットを担持するかどうかを、入力フィードバック情報に従って決定するように構成された第２の決定ユニットと
を含む。
【００１２】
第１の態様の第３の可能な実装手法を参照して、第１の態様の第４の可能な実装手法では、入力フィードバック情報は、処理される必要があるデータパケットを担持する無線信号が入力された瞬間を含み、第２の取得ユニットは、処理される必要があるデータパケットを担持する無線信号が入力された瞬間を取得するように構成され、
第２の決定ユニットは、現在処理中である無線信号が受信された瞬間を決定し、現在処理中である無線信号が受信された瞬間と処理される必要があるデータパケットを担持する無線信号が入力された瞬間とのマッチングを実行し、現在処理中である無線信号が受信された瞬間が、処理される必要があるデータパケットを担持する無線信号が入力された瞬間と合致するとき、現在処理中である無線信号が、処理される必要があるデータパケットを担持すると決定するように構成される。
【００１３】
第１の態様の第４の可能な実装手法を参照して、第１の態様の第５の可能な実装手法では、無線トランシーバスケジューリングおよび管理モジュール内の取得ユニットは、処理される必要があるデータパケットを担持する無線信号が入力された瞬間を決定し、処理される必要があるデータパケットを担持する無線信号が入力された瞬間を含む入力フィードバック情報を生成するように構成される。
【００１４】
第１の態様の第３の可能な実装手法を参照して、第１の態様の第６の可能な実装手法では、入力フィードバック情報は、現在処理中である無線信号の前の信号のインジケーション情報を含み、第２の取得ユニットは、現在処理中である無線信号の前の信号のインジケーション情報を取得するように構成され、
第２の決定ユニットは、現在処理中である無線信号の前の信号のインジケーション情報が、処理される必要があるデータパケットを担持する次の無線信号が存在することを示すかどうかを決定し、現在処理中である無線信号の前の信号のインジケーション情報が、処理される必要があるデータパケットを担持する次の無線信号が存在することを示すとき、現在処理中である無線信号が、処理される必要があるデータパケットを担持すると決定するように構成される。
【００１５】
第１の態様の第６の可能な実装手法を参照して、第１の態様の第７の可能な実装手法では、無線トランシーバスケジューリングおよび管理モジュール内の取得ユニットは、情報処理モジュールから、現在処理中である無線信号の前の信号のインジケーション情報を取得し、現在処理中である無線信号の前の信号のインジケーション情報を入力フィードバック情報として使用することによって、現在処理中である無線信号の前の信号のインジケーション情報を含む入力フィードバック情報を取得するように構成される。
【００１６】
第１の態様を参照して、第１の態様の第８の可能な実装手法では、前処理モジュールは、
現在処理中である無線信号を受信するアンテナを決定するように構成された第３の決定ユニットと、
現在処理中である無線信号を受信するアンテナが、処理される必要があるデータパケットを担持する無線信号を受信するように構成されたあらかじめ設定されたアンテナであるかどうかを決定するように構成された第４の決定ユニットと、
現在処理中である無線信号を受信するアンテナが、処理される必要があるデータパケットを担持する無線信号を受信するように構成されたあらかじめ設定されたアンテナであると決定されるとき、現在処理中である無線信号が、処理される必要があるデータパケットを担持すると決定するように構成された第５の決定ユニットと
を含む。
【００１７】
第１の態様の第１の可能な実装手法ないし第１の態様の第８の可能な実装手法のうちの任意の可能な実装手法を参照して、第１の態様の第９の可能な実装手法では、装置は、
現在処理中である無線信号を解析し、解析結果に従って、現在処理中である無線信号の信号フォーマットを得るように構成された解析モジュール
をさらに含み、
前処理モジュールは、
現在処理中である無線信号がその無線通信システムの無線信号であるかどうかを、現在処理中である無線信号の信号フォーマットに従って決定するように構成された第６の決定ユニットと、
現在処理中である無線信号がその無線通信システムの無線信号であると決定されるとき、現在処理中である無線信号が、処理される必要があるデータパケットを担持するかどうかを決定するように構成された第７の決定ユニットと
を含む。
【００１８】
第１の態様を参照して、第１の態様の第１０の可能な実装手法では、装置は：
現在処理中である無線信号が、処理される必要があるデータパケットを担持するとき、現在処理中である無線信号を受信するアンテナの利得値を減少させ、または、現在処理中である無線信号が、処理される必要があるデータパケットを担持しないとき、現在処理中である無線信号を受信するアンテナの利得値を増加させるように構成された利得調整モジュールをさらに含む。
【００１９】
第２の態様によれば、無線信号処理方法が提供され、この方法は、
その無線通信システムのアンテナによって受信された少なくとも１つの無線信号を取得することと、
現在処理中である無線信号が、処理される必要があるデータパケットを担持するかどうかを決定することと、
現在処理中である無線信号が、処理される必要があるデータパケットを担持する場合、現在処理中である無線信号内で担持されるデータパケット内で担持される通信情報を抽出すること、または、
現在処理中である無線信号が、処理される必要があるデータパケットを担持しないとき、現在処理中である無線信号のエネルギーを収集することと
を含む。
【００２０】
第２の態様を参照して、第２の態様の第１の可能な実装手法では、現在処理中である無線信号が、処理される必要があるデータパケットを担持するかどうかを決定することは、
現在処理中である無線信号の信号特性を取得することと、
現在処理中である無線信号が、処理される必要があるデータパケットを担持するかどうかを、現在処理中である無線信号の信号特性に従って決定することと
を含む。
【００２１】
第２の態様の第１の可能な実装手法を参照して、第２の態様の第２の可能な実装手法では、信号特性は信号の中心周波数を含み、現在処理中である無線信号の信号特性を取得することは、
現在処理中である無線信号の中心周波数を取得すること
を含み、
現在処理中である無線信号が、処理される必要があるデータパケットを担持するかどうかを、現在処理中である無線信号の信号特性に従って決定することは、
現在処理中である無線信号の中心周波数とその無線通信システムの動作チャネルの中心周波数とのマッチングを実行することと、
現在処理中である無線信号の中心周波数が、その無線通信システムの動作チャネルの中心周波数と一致する場合、現在処理中である無線信号が、処理される必要があるデータパケットを担持すると決定することと
を含む。
【００２２】
第２の態様を参照して、第２の態様の第３の可能な実装手法では、現在処理中である無線信号が、処理される必要があるデータパケットを担持するかどうかを決定することは、
入力フィードバック情報を取得することと、
現在処理中である無線信号が、処理される必要があるデータパケットを担持するかどうかを、入力フィードバック情報に従って決定することと
を含む。
【００２３】
第２の態様の第３の可能な実装手法を参照して、第２の態様の第４の可能な実装手法では、入力フィードバック情報は、処理される必要があるデータパケットを担持する無線信号が入力された瞬間を含み、入力フィードバック情報を取得することは、
処理される必要があるデータパケットを担持する無線信号が入力された瞬間を取得すること
を含み、
現在処理中である無線信号が、処理される必要があるデータパケットを担持するかどうかを、入力フィードバック情報に従って決定することは、
現在処理中である無線信号が受信された瞬間を決定することと、
現在処理中である無線信号が受信された瞬間と処理される必要があるデータパケットを担持する無線信号が入力された瞬間とのマッチングを実行することと、
現在処理中である無線信号が受信された瞬間が、処理される必要があるデータパケットを担持する無線信号が入力された瞬間と合致する場合、現在処理中である無線信号が、処理される必要があるデータパケットを担持すると決定することと
を含む。
【００２４】
第２の態様の第４の可能な実装手法を参照して、第２の態様の第５の可能な実装手法では、処理される必要があるデータパケットを担持する無線信号が入力された瞬間を取得することは、
処理される必要があるデータパケットを担持する無線信号が入力された瞬間を決定することと、
処理される必要があるデータパケットを担持する無線信号が入力された瞬間を含む入力フィードバック情報を生成することと
を含む。
【００２５】
第２の態様の第３の可能な実装手法を参照して、第２の態様の第６の可能な実装手法では、入力フィードバック情報は、現在処理中である無線信号の前の信号のインジケーション情報を含み、入力フィードバック情報を取得することは、
現在処理中である無線信号の前の信号のインジケーション情報を取得すること
を含み、
現在処理中である無線信号が、処理される必要があるデータパケットを担持するかどうかを、入力フィードバック情報に従って決定することは、
現在処理中である無線信号の前の信号のインジケーション情報が、処理される必要があるデータパケットを担持する次の無線信号が存在することを示すかどうかを決定することと、
現在処理中である無線信号の前の信号のインジケーション情報が、処理される必要があるデータパケットを担持する次の無線信号が存在することを示す場合、現在処理中である無線信号が、処理される必要があるデータパケットを担持すると決定することと
を含む。
【００２６】
第２の態様の第６の可能な実装手法を参照して、第２の態様の第７の可能な実装手法では、現在処理中である無線信号の前の信号のインジケーション情報を取得することは、
現在処理中である無線信号の前の信号を処理し、現在処理中である無線信号の前の信号のインジケーション情報を取得し、現在処理中である無線信号の前の信号のインジケーション情報を含む入力フィードバック情報を、現在処理中である無線信号の前の信号のインジケーション情報を入力フィードバック情報として使用することによって、取得すること
を含む。
【００２７】
第２の態様を参照して、第２の態様の第８の可能な実装手法では、現在処理中である無線信号が、処理される必要があるデータパケットを担持するかどうかを決定することは、
現在処理中である無線信号を受信するアンテナを決定することと、
現在処理中である無線信号を受信するアンテナが、処理される必要があるデータパケットを担持する無線信号を受信するように構成されたあらかじめ設定されたアンテナであるかどうかを決定することと、
現在処理中である無線信号を受信するアンテナが、処理される必要があるデータパケットを担持する無線信号を受信するように構成されたあらかじめ設定されたアンテナであると決定される場合、現在処理中である無線信号が、処理される必要があるデータパケットを担持すると決定することと
を含む。
【００２８】
第２の態様の第１の可能な実装手法ないし第２の態様の第８の可能な実装手法のうちの任意の可能な実装手法を参照して、第２の態様の第９の可能な実装手法では、現在処理中である無線信号が、処理される必要があるデータパケットを担持するかどうかを決定することの前に、方法が、
現在処理中である無線信号を解析することと、
解析結果に従って、現在処理中である無線信号の信号フォーマットを得ることと、
現在処理中である無線信号がその無線通信システムの無線信号であるかどうかを、現在処理中である無線信号の信号フォーマットに従って決定することと、
現在処理中である無線信号が、その無線通信システムの無線信号であると決定される場合、現在処理中である無線信号が、処理される必要があるデータパケットを担持するかどうかを決定するステップを実行することと
をさらに含む。
【００２９】
第２の態様を参照して、第２の態様の第１０の可能な実装手法では、現在処理中である無線信号が、処理される必要があるデータパケットを担持するかどうかを決定した後に、方法は、
現在処理中である無線信号が、処理される必要があるデータパケットを担持する場合、現在処理中である無線信号を受信するアンテナの利得値を減少させること、または
現在処理中である無線信号が、処理される必要があるデータパケットを担持しない場合、現在処理中である無線信号を受信するアンテナの利得値を増加させること
をさらに含む。
【００３０】
第３の態様によれば、端末が提供され、この端末は、少なくとも１つのプロセッサと、受信機とを含み、
受信機は、その無線通信システムのアンテナによって受信された少なくとも１つの無線信号を取得し、処理を実行するために取得された無線信号をプロセッサに送信するように構成され、
プロセッサは、現在処理中である無線信号が、処理される必要があるデータパケットを担持するかどうかを決定し、現在処理中である無線信号が、処理される必要があるデータパケットを担持する場合、現在処理中である無線信号内で担持されるデータパケット内で担持される通信情報を抽出する、または、現在処理中である無線信号が、処理される必要があるデータパケットを担持しない場合、現在処理中である無線信号のエネルギーを収集するように構成される。
【００３１】
第３の態様を参照して、第３の態様の第１の可能な実装手法では、プロセッサは、現在処理中である無線信号の信号特性を取得し、現在処理中である無線信号が、処理される必要があるデータパケットを担持するかどうかを、現在処理中である無線信号の信号特性に従って決定するようにさらに構成される。
【００３２】
第３の態様の第１の可能な実装手法を参照して、第３の態様の第２の可能な実装手法では、信号特性は信号の中心周波数を含み、プロセッサは、現在処理中である無線信号の中心周波数を取得し、現在処理中である無線信号の中心周波数とその無線通信システムの動作チャネルの中心周波数とのマッチングを実行し、現在処理中である無線信号の中心周波数がその無線通信システムの動作チャネルの中心周波数と一致する場合、現在処理中である無線信号が、処理される必要があるデータパケットを担持すると決定するようにさらに構成される。
【００３３】
第３の態様を参照して、第３の態様の第３の可能な実装手法では、プロセッサは、入力フィードバック情報を取得し、現在処理中である無線信号が、処理される必要があるデータパケットを担持するかどうかを入力フィードバック情報に従って決定するようにさらに構成される。
【００３４】
第３の態様の第３の可能な実装手法を参照して、第３の態様の第４の可能な実装手法では、入力フィードバック情報は、処理される必要があるデータパケットを担持する無線信号が入力された瞬間を含み、プロセッサは、処理される必要があるデータパケットを担持する無線信号が入力された瞬間を取得し、現在処理中である無線信号が受信された瞬間を決定し、現在処理中である無線信号が受信された瞬間と処理される必要があるデータパケットを担持する無線信号が入力された瞬間とのマッチングを実行し、現在処理中である無線信号が受信された瞬間が、処理される必要があるデータパケットを担持する無線信号が入力された瞬間と合致する場合、現在処理中である無線信号が、処理される必要があるデータパケットを担持すると決定するようにさらに構成される。
【００３５】
第３の態様の第４の可能な実装手法を参照して、第３の態様の第５の可能な実装手法では、プロセッサは、処理される必要があるデータパケットを担持する無線信号が入力された瞬間を決定し、処理される必要があるデータパケットを担持する無線信号が入力された瞬間を含む入力フィードバック情報を生成するようにさらに構成される。
【００３６】
第３の態様の第３の可能な実装手法を参照して、第３の態様の第６の可能な実装手法では、入力フィードバック情報は、現在処理中である無線信号の前の信号のインジケーション情報を含み、プロセッサは、現在処理中である無線信号の前の信号のインジケーション情報を取得し、現在処理中である無線信号の前の信号のインジケーション情報が、処理される必要があるデータパケットを担持する次の無線信号が存在することを示すかどうかを決定し、現在処理中である無線信号の前の信号のインジケーション情報が、処理される必要があるデータパケットを担持する次の無線信号が存在することを示す場合、現在処理中である無線信号が、処理される必要があるデータパケットを担持すると決定するようにさらに構成される。
【００３７】
第３の態様の第６の可能な実装手法を参照して、第３の態様の第７の可能な実装手法では、プロセッサは、現在処理中である無線信号の前の信号を処理し、現在処理中である無線信号の前の信号のインジケーション情報を取得して、現在処理中である無線信号の前の信号のインジケーション情報を入力フィードバック情報として使用することによって、現在処理中である無線信号の前の信号のインジケーション情報を含む入力フィードバック情報を取得するようにさらに構成される。
【００３８】
第３の態様を参照して、第３の態様の第８の可能な実装手法では、プロセッサは、現在処理中である無線信号を受信するアンテナを決定し、現在処理中である無線信号を受信するアンテナが、処理される必要があるデータパケットを担持する無線信号を受信するように構成されたあらかじめ設定されたアンテナであるかどうかを決定し、現在処理中である無線信号を受信するアンテナが、処理される必要があるデータパケットを担持する無線信号を受信するように構成されたあらかじめ設定されたアンテナであると決定されたとき、現在処理中である無線信号が、処理される必要があるデータパケットを担持すると決定されるようにさらに構成される。
【００３９】
第３の態様の第１の可能な実装手法ないし第３の態様の第８の可能な実装手法のうちの任意の可能な実装手法を参照して、第３の態様の第９の可能な実装手法では、プロセッサは、現在処理中である無線信号を解析し、解析結果に従って、現在処理中である無線信号の信号フォーマットを得て、現在処理中である無線信号がその無線通信システムの無線信号であるかどうかを、現在処理中である無線信号の信号フォーマットに従って決定し、現在処理中である無線信号がその無線通信システムの無線信号であると決定された場合、現在処理中である無線信号が、処理される必要があるデータパケットを担持するかどうかを決定するようにさらに構成される。
【００４０】
第３の態様を参照して、第３の態様の第１０の可能な実装手法では、プロセッサは、現在処理中である無線信号が、処理される必要があるデータパケットを担持する場合、現在処理中である無線信号を受信するアンテナの利得値を減少させ、または、現在処理中である無線信号が、処理される必要があるデータパケットを担持しない場合、現在処理中である無線信号を受信するアンテナの利得値を増加させるようにさらに構成される。
【００４１】
本発明の実施形態提供されるにおいて技術的解決策によってもたらされる有益な効果は、次の通りである。
【００４２】
前処理モジュールは、現在処理中である無線信号が、処理される必要があるデータパケットを担持するかどうかを決定し、決定された結果に従って、現在処理中である無線信号が情報処理モジュールまたはエネルギー収集モジュールに割り当てられ、処理を実行する。これは、受信された現在処理中である無線信号は、通信のために使用されないまたは無線充電のために使用されない無線信号であり、現在処理中である無線信号は破棄されるので、リソースを浪費することを回避することができるだけでなく、受信された無線信号を十分に使用し、それによって、受信された無線信号を使用する使用法を改善することもできる。さらに、現在処理中である無線信号が受信された後、現在処理中である無線信号が、処理される必要があるデータパケットを担持するかどうかに関係なく、現在処理中である無線信号が処理される。したがって、現在処理中である無線信号が受信されるので、システムリソース浪費が引き起こされることが回避され、したがって、無線信号処理効率が改善可能である。
【図面の簡単な説明】
【００４３】
本発明の実施形態における技術的解決策をよりはっきりと説明するために、以下は、実施形態を説明するために必要とされる添付の図面を手短に説明する。明らかに、以下の説明における添付の図面は本発明のいくつかの実施形態を示すにすぎず、当業者は、これらの添付の図面から創意工夫なしで他の図面を依然として導き出す。
【図１】本発明の実施形態による実装環境の概略図である。
【図２】本発明の別の実施形態による無線信号処理装置の概略構造図である。
【図３】本発明の別の実施形態による無線信号処理装置の概略構造図である。
【図４】本発明の別の実施形態による無線信号処理装置の概略構造図である。
【図５】本発明の別の実施形態による無線信号処理装置の概略構造図である。
【図６】本発明の別の実施形態による無線信号処理方法の流れ図である。
【図７】本発明の別の実施形態による無線信号処理方法の流れ図である。
【図８】本発明の別の実施形態による端末の概略構造図である。
【発明を実施するための形態】
【００４４】
本発明の目的、技術的解決策、および利点をより明らかにするために、以下は、添付の図面を参照しながら本発明の実施形態を詳細にさらに説明する。
【００４５】
図１に示されるように、図１は、本発明の実施形態による実装環境の概略図である。この実装環境には、端末１０１およびネットワークアクセスデバイス１０２が含まれる。端末１０１とネットワークアクセスデバイス１０２は、無線通信プロトコルを使用することによって互いと通信する、すなわち、端末１０１とネットワークアクセスデバイス１０２は、無線通信システムを形成する。
【００４６】
端末１０１は、限定されるものではないが、スマートフォン、タブレットコンピュータ、電子ブックリーダ、ＭＰ３（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、  Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤ、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ、Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ）プレーヤ、ポータブルラップトップコンピュータ、デスクトップコンピュータ、ウェアラブルインテリジェントデバイスなどを含む。ネットワークアクセスデバイス１０２は、限定されるものではないが、ＡＰ（無線アクセスポイント（Ｗｉｒｅｌｅｓｓ  Ａｃｃｅｓｓ  Ｐｏｉｎｔ、ｗｉｒｅｌｅｓｓ  ａｃｃｅｓｓ  ｐｏｉｎｔ））、基地局などを含む。それを使用することによって端末１０１とネットワークアクセスデバイス１０２が互いと通信する無線通信プロトコルは、限定されるものではないが、ＷＬＡＮ（無線ローカルエリアネットワーク（Ｗｉｒｅｌｅｓｓ  Ｌｏｃａｌ  Ａｒｅａ  Ｎｅｔｗｏｒｋ、ｗｉｒｅｌｅｓｓ  ｌｏｃａｌ  ａｒｅａ  ｎｅｔｗｏｒｋ））、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ、Ｇｌｏｂａｌ  Ｓｙｓｔｅｍ  ｆｏｒ  Ｍｏｂｉｌｅ  ｃｏｍｍｕｎｉｃａｔｉｏｎｓ）、ＧＰＲＳ（汎用パケット無線サービス（Ｇｅｎｅｒａｌ  Ｐａｃｋｅｔ  Ｒａｄｉｏ  Ｓｅｒｖｉｃｅ、ｇｅｎｅｒａｌ  ｐａｃｋｅｔ  ｒａｄｉｏ  ｓｅｒｖｉｃｅ））などを含む。
【００４７】
ネットワークアクセスデバイス１０２は端末１０１と無線で通信してよく、端末１０１は、ネットワークアクセスデバイス１０２によって送信された無線信号を処理してよい。具体的には、無線信号処理装置および無線信号処理方法の詳細については、以下の実施形態を参照されたい。
【００４８】
図１に示される実装環境の概略図および前述の内容を参照して、図２は、例示的な実施形態による無線信号処理装置の概略構造図を提供する。図２に示されるように、この装置は、取得モジュール２０１と、前処理モジュール２０２と、情報処理モジュール２０３と、エネルギー収集モジュール２０４とを含む。取得モジュール２０１の側はアンテナに接続され、取得モジュール２０１の別の側は前処理モジュール２０２に接続され、前処理モジュール２０２は、情報処理モジュール２０３およびエネルギー収集モジュール２０４に別々に接続される。
【００４９】
取得モジュール２０１は、その無線通信システムのアンテナによって受信された少なくとも１つの無線信号を取得し、処理を実行するために取得された無線信号を前処理モジュール２０２に送信するように構成される。
【００５０】
前処理モジュール２０２は、現在処理中である無線信号が、処理される必要があるデータパケットを担持するかどうかを決定し、現在処理中である無線信号が、処理される必要があるデータパケットを担持すると決定された場合、処理を実行するために現在処理中である無線信号を情報処理モジュール２０３に送信し、または、現在処理中である無線信号が、処理される必要があるデータパケットを担持しないと決定された場合、処理を実行するために現在処理中である無線信号をエネルギー収集モジュール２０４に送信するように構成される。
【００５１】
任意選択で、前処理モジュール２０２は、
現在処理中である無線信号の信号特性を取得するように構成された第１の取得ユニットと、
現在処理中である無線信号が、処理される必要があるデータパケットを担持するかどうかを、現在処理中である無線信号の信号特性に従って決定するように構成された第１の決定ユニットと
を含む。
【００５２】
任意選択で、信号特性は信号の中心周波数を含み、第１の取得ユニットは、現在処理中である無線信号の中心周波数を取得するように構成され、
第１の決定ユニットは、現在処理中である無線信号の中心周波数とその無線通信システムの動作チャネルの中心周波数とのマッチングを実行し、現在処理中である無線信号の中心周波数がその無線通信システムの動作チャネルの中心周波数と一致するとき、現在処理中である無線信号が、処理される必要があるデータパケットを担持すると決定するように構成される。
【００５３】
任意選択で、装置は、無線トランシーバスケジューリングおよび管理モジュール２０７をさらに含み、
無線トランシーバスケジューリングおよび管理モジュール２０７は、
入力フィードバック情報を取得するように構成された取得ユニットであって、この入力フィードバック情報が、現在処理中である無線信号は処理される必要があるデータパケットを担持するかどうかを示すために使用される、取得ユニットと、
入力フィードバック情報を前処理モジュールに送信するように構成された送信ユニットと
を含み、
前処理モジュール２０２は、
無線トランシーバスケジューリングおよび管理モジュール２０７によって取得された入力フィードバック情報を取得するように構成された第２の取得ユニットと、
現在処理中である無線信号が、処理される必要があるデータパケットを担持するかどうかを、入力フィードバック情報に従って決定するように構成された第２の決定ユニットと
を含む。
【００５４】
任意選択で、入力フィードバック情報は、処理される必要があるデータパケットを担持する無線信号が入力された瞬間を含み、第２の取得ユニットは、処理される必要があるデータパケットを担持する無線信号が入力された瞬間を取得するように構成され、
第２の決定ユニットは、現在処理中である無線信号が受信された瞬間を決定し、現在処理中である無線信号が受信された瞬間と処理される必要があるデータパケットを担持する無線信号が入力された瞬間とのマッチングを実行し、現在処理中である無線信号が受信された瞬間が、処理される必要があるデータパケットを担持する無線信号が入力された瞬間と合致するとき、現在処理中である無線信号が、処理される必要があるデータパケットを担持すると決定するように構成される。
【００５５】
任意選択で、無線トランシーバスケジューリングおよび管理モジュール２０７内の取得ユニットは、処理される必要があるデータパケットを担持する無線信号が入力された瞬間を決定し、処理される必要があるデータパケットを担持する無線信号が入力された瞬間を含む入力フィードバック情報を生成するように構成される。
【００５６】
任意選択で、入力フィードバック情報は、現在処理中である無線信号の前の信号のインジケーション情報を含み、第２の取得ユニットは、現在処理中である無線信号の前の信号のインジケーション情報を取得するように構成され、
第２の決定ユニットは、現在処理中である無線信号の前の信号のインジケーション情報は、処理される必要があるデータパケットを担持する次の無線信号が存在することを示すかどうかを決定し、現在処理中である無線信号の前の信号のインジケーション情報は、処理される必要があるデータパケットを担持する次の無線信号が存在することを示すとき、現在処理中である無線信号が、処理される必要があるデータパケットを担持すると決定するように構成される。
【００５７】
任意選択で、無線トランシーバスケジューリングおよび管理モジュール２０７内の取得ユニットは、情報処理モジュール２０３から、現在処理中である無線信号の前の信号のインジケーション情報を取得し、現在処理中である無線信号の前の信号のインジケーション情報を入力フィードバック情報として使用することによって、現在処理中である無線信号の前の信号のインジケーション情報を含む入力フィードバック情報を取得するように構成される。
【００５８】
任意選択で、前処理モジュール２０２は、
現在処理中である無線信号を受信するアンテナを決定するように構成された第３の決定ユニットと、
現在処理中である無線信号を受信するアンテナが、処理される必要があるデータパケットを担持する無線信号を受信するように構成されたあらかじめ設定されたアンテナであるかどうかを決定するように構成された第４の決定ユニットと、
現在処理中である無線信号を受信するアンテナが、処理される必要があるデータパケットを担持する無線信号を受信するように構成されたあらかじめ設定されたアンテナであると決定されるとき、現在処理中である無線信号が、処理される必要があるデータパケットを担持すると決定するように構成された第５の決定ユニットと
を含む。
【００５９】
任意選択で、図３を参照して、装置は、
現在処理中である無線信号を解析し、解析結果に従って、現在処理中である無線信号の信号フォーマットを得るように構成された解析モジュール２０８
をさらに含み、
前処理モジュール２０２は、
現在処理中である無線信号がその無線通信システムの無線信号であるかどうかを、現在処理中である無線信号の信号フォーマットに従って決定するように構成された第６の決定ユニットと、
現在処理中である無線信号がその無線通信システムの無線信号であると決定されるとき、現在処理中である無線信号が、処理される必要があるデータパケットを担持するかどうかを決定するように構成された第７の決定ユニットと
を含む。
【００６０】
情報処理モジュール２０３は、現在処理中であり前処理モジュール２０２によって送信された無線信号を受信し、現在処理中である無線信号内で担持されるデータパケット内で担持される通信情報を抽出するように構成される。
【００６１】
エネルギー収集モジュール２０４は、現在処理中であり前処理モジュール２０２によって送信された無線信号を受信し、現在処理中である無線信号のエネルギーを収集するように構成される。
【００６２】
任意選択で、図４を参照して、装置は、
現在処理中である無線信号が、処理される必要があるデータパケットを担持するとき、現在処理中である無線信号を受信するアンテナの利得値を減少させ、または、現在処理中である無線信号が、処理される必要があるデータパケットを担持しないとき、現在処理中である無線信号を受信するアンテナの利得値を増加させるように構成された利得調整モジュール２０９
をさらに含む。
【００６３】
本発明のこの実施形態において提供される装置によれば、前処理モジュールは、現在処理中である無線信号が、処理される必要があるデータパケットを担持するかどうかを決定し、決定された結果に従って、現在処理中である無線信号が情報処理モジュールまたはエネルギー収集モジュールに割り当てられ、処理を実行する。これは、受信された現在処理中である無線信号は、通信のために使用されないまたは無線充電のために使用されない無線信号であり、現在処理中である無線信号は破棄されるので、リソースを浪費することを回避することができるだけでなく、受信された無線信号を十分に使用し、それによって、受信された無線信号を使用する使用法を改善することもできる。さらに、現在処理中である無線信号が受信された後、現在処理中である無線信号が、処理される必要があるデータパケットを担持するかどうかに関係なく、現在処理中である無線信号が処理される。したがって、現在処理中である無線信号が受信されるので、システムリソース浪費が引き起こされることが回避され、したがって、無線信号処理効率が改善可能である。
【００６４】
図１に示される実装環境の概略図および図２ないし図４に対応する実施形態における内容を参照して、図５は、例示的な実施形態による無線信号処理装置を提供する。図５を参照すると、装置は、取得モジュール２０１と、前処理モジュール２０２、情報処理モジュール２０３、エネルギー収集モジュール２０４、電気エネルギー貯蔵モジュール２０５と、バッテリ管理モジュール２０６と、無線トランシーバスケジューリングおよび管理モジュール２０７と、解析モジュール２０８と、利得調整モジュール２０９とを含む。図５に示されるように、取得モジュール２０１の一方の側はアンテナに接続され、取得モジュール２０１の別の側は前処理モジュール２０２に接続される、前処理モジュール２０２は、情報処理モジュール２０３およびエネルギー収集モジュール２０４に別々に接続され、情報処理モジュール２０３は無線トランシーバスケジューリングおよび管理モジュール２０７に接続され、エネルギー収集モジュール２０４は電気エネルギー貯蔵モジュール２０５に接続され、電気エネルギー貯蔵モジュール２０５はバッテリ管理モジュール２０６に接続される。そのうえ、電気エネルギー貯蔵モジュール２０５は情報処理モジュール２０３にさらに接続され、バッテリ管理モジュール２０６は前処理モジュール２０２にさらに接続され、無線トランシーバスケジューリングおよび管理モジュール２０７は前処理モジュール２０２にさらに接続される。解析モジュール２０８の一方の側は取得モジュール２０１に接続され、解析モジュール２０８の別の側は前処理モジュール２０２に接続される。利得調整モジュール２０９は前処理モジュール２０２に接続される。装置に含まれるモジュールの機能およびモジュールの作業手法の詳細については、以下の説明を参照されたい。
【００６５】
取得モジュール２０１は、その無線通信システムのアンテナによって受信された少なくとも１つの無線信号を取得し、処理を実行ために取得された無線信号を前処理モジュール２０２に送信するように構成される。
【００６６】
無線信号上で処理を実施するために、１または複数のアンテナは通常、無線信号処理装置が設置される無線通信システムに配置され、無線信号を受信および送信するように構成される。アンテナのまわりの空間内には、さまざまな無線信号が存在し、この信号は、無線信号処理装置が設置された無線通信システムに送信される無線信号を含み、別のデバイスに送信される無線信号も含む。したがって、アンテナによって受信される無線信号は、無線信号処理装置に送信される無線信号であり、または、別のデバイスに送信される無線信号である。受信された無線信号を処理するために、取得モジュール２０１は、その無線通信システムのアンテナによって受信された少なくとも１つの無線信号を取得する必要がある。取得モジュール２０１は、多くの手法において、その無線通信システムのアンテナによって受信された少なくとも１つの無線信号を取得し、特定の実装形態の間、アンテナが無線信号を受信した後、アンテナによって受信された無線信号は、取得された無線信号として直接使用される。
【００６７】
取得モジュール２０１によって取得された無線信号は、無線信号処理装置に送信された無線信号であり、または別のデバイスに送信された無線信号であることが留意されるべきである。したがって、この実施形態および本発明の後続の実施形態において、現在処理中である無線信号が、無線信号処理装置に送信された無線信号である場合、無線信号は、処理される必要があるデータパケットを担持すると考えられる。または、現在処理中である無線信号が、無線信号処理装置に送信される無線信号でない場合、無線信号は、処理される必要があるデータパケットを担持しないと考えられる。
【００６８】
さらに、取得モジュール２０１によって取得された少なくとも１つの無線信号が、エネルギー収集モジュール２０４に送信されて処理を実行する必要があるか、それとも情報処理モジュール２０３に送信されて処理を実行する必要があるかを決定するために、無線信号処理装置は、前処理モジュール２０２をさらに含む。前処理モジュール２０２は、現在処理中である無線信号が、処理される必要があるデータパケットを担持するかどうかを決定し、現在処理中である無線信号が、処理される必要があるデータパケットを担持するかどうかに従って、取得された少なくとも１つの無線信号がエネルギー収集モジュール２０４に送信されて処理を実行するか、それとも情報処理モジュール２０３に送信されて処理を実行するかを決定するように構成される。具体的には、前処理モジュール２０２が、現在処理中である無線信号が、処理される必要があるデータパケットを担持する、すなわち、現在処理中である無線信号が、無線信号処理装置に送信される無線信号であると決定する場合、前処理モジュール２０２は、現在処理中である無線信号を情報処理モジュール２０３に送信して処理を実行する。前処理モジュール２０２が、現在処理中である無線信号が、処理される必要があるデータパケットを担持しない、すなわち、現在処理中である無線信号が、無線信号処理装置に送信される無線信号でないと決定する場合、前処理モジュール２０２は、現在処理中である無線信号をエネルギー収集モジュール２０４に送信して処理を実行する。
【００６９】
前処理モジュール２０２は、多くの手法において、現在処理中である無線信号が、処理される必要があるデータパケットを担持するかどうかを決定し、特定の実装形態の間、手法は、限定されるものではないが、以下の手法を含む。
【００７０】
第１の手法：前処理モジュール２０２は、現在処理中である無線信号の信号特性を取得し、現在処理中である無線信号の信号特性に従って、現在処理中である無線信号が、処理される必要があるデータパケットを担持するかどうかを決定する。この場合、前処理モジュール２０２は、第１の取得ユニットと、第１の決定ユニットとを含む。第１の取得ユニットは、現在処理中である無線信号の信号特性を取得するように構成され、第１の決定ユニットは、現在処理中である無線信号の信号特性に従って、現在処理中である無線信号が、処理される必要があるデータパケットを担持するかどうかを決定するように構成される。
【００７１】
信号特性の具体的な内容は、本発明のこの実施形態では、限定されない。特定の実装形態の間、各無線通信システムの動作チャネルは特定の中心周波数を有するので、無線通信システムは、動作チャネルの中心周波数と合致する受信された無線信号を処理する。したがって、信号特性は、限定されるものではないが、信号の中心周波数を含む。この場合、第１の取得ユニットは、現在処理中である無線信号の中心周波数を取得するように構成され、第１の決定ユニットは、無現在処理中である線信号の中心周波数とその無線通信システムの動作チャネルの中心周波数とのマッチングを実行するように構成される。現在処理中である無線信号の中心周波数がその無線通信システムの動作チャネルの中心周波数と一致する場合、現在処理中である無線信号が、処理される必要があるデータパケットを担持すると決定する。または、現在処理中である無線信号の中心周波数がその無線通信システムの動作チャネルの中心周波数と一致しない場合、現在処理中である無線信号が、処理される必要があるデータパケットを担持しないと決定する。
【００７２】
第１の取得ユニットは、多くの手法において、現在処理中である無線信号の中心周波数を取得し、特定の実装形態の間、第１の取得ユニットは、フィルタを使用することによって、現在処理中である無線信号の中心周波数を決定し、フィルタを使用することによって決定された、現在処理中である無線信号の中心周波数を、取得された現在処理中である無線信号の中心周波数として使用する。第１の決定ユニットが、現在処理中である無線信号の中心周波数とその無線通信システムの動作チャネルの中心周波数とのマッチングを実行する手法は、本発明のこの実施形態では、具体的には限定されない。特定の実装形態の間、第１の決定ユニットは、その無線通信システムの動作チャネルの中心周波数をあらかじめ記憶し、現在処理中である無線信号の中心周波数を取得した後、第１の取得ユニットは中心周波数を第１の決定ユニットに送信し、第１の決定ユニットは、あらかじめ記憶されたその無線通信システムの動作チャネルの中心周波数を取得し、受信された現在処理中である無線信号の中心周波数と取得されたその無線通信システムの動作チャネルの中心周波数とのマッチングを実行する。
【００７３】
さらに、フィルタを使用することによって、現在処理中である無線信号の中心周波数を取得するとき、第１の取得ユニットは、その無線通信システムの動作チャネルの中心周波数と一致するようにフィルタの中心周波数をさらに設定する。この場合、第１の決定ユニットは、現在処理中である無線信号がフィルタによってフィルタ除去されるかどうかを決定することによって、現在処理中である無線信号が、処理される必要があるデータパケットを担持するかどうかを決定する。具体的には、現在処理中である無線信号がフィルタによってフィルタ除去される場合、現在処理中である無線信号の中心周波数がフィルタの中心周波数と一致しないと決定される、すなわち現在処理中である無線信号が、処理される必要があるデータパケットを担持しないと決定される。または、現在処理中である無線信号がフィルタを通過する場合、現在処理中である無線信号が、処理される必要があるデータパケットを担持すると決定される。
【００７４】
第２の手法：無線信号処理装置が設置される無線通信システムがスケジュール可能な無線通信システムである場合、無線通信システムは通常、無線トランシーバスケジューリングおよび管理モジュールを含む。無線トランシーバスケジューリングおよび管理モジュールは無線信号受信および送信の入力フィードバック情報を取得し、現在処理中である無線信号が、処理される必要があるデータパケットを担持するかどうかは、入力フィードバック情報に従って決定される。たとえば、無線トランシーバスケジューリングおよび管理モジュールは、処理される必要があるデータパケットを担持する無線信号が送信される時間、信号が入力される時間、受信された無線信号にインジケーション情報が存在するかどうかなどを取得し、すべての情報が無線信号処理装置の入力フィードバック情報として使用される。本発明のこの実施形態において提供される無線信号処理装置が設置される無線通信システムは、スケジュール可能な無線通信システムである、すなわち、本発明のこの実施形態において提供される無線信号処理装置は、無線トランシーバスケジューリングおよび管理モジュール２０７を含む。
【００７５】
本発明のこの実施形態では、無線トランシーバスケジューリングおよび管理モジュール２０７は、無線通信システム内で入力フィードバック情報を取得するように構成された取得ユニットと、入力フィードバック情報を前処理モジュール２０２に送信するように構成された送信ユニットとを含む。すなわち、無線トランシーバスケジューリングおよび管理モジュール２０７は、前処理モジュール２０２に関連した入力フィードバック情報を前処理モジュール２０２にフィードバックする。したがって、前処理モジュール２０２は、無線トランシーバスケジューリングおよび管理モジュール２０７と相互作用することによって、無線トランシーバスケジューリングおよび管理モジュール２０７によって送信された入力フィードバック情報を取得し、入力フィードバック情報に従って、現在処理中である無線信号が、処理される必要があるデータパケットを担持するかどうかを決定する。無線トランシーバスケジューリングおよび管理モジュール２０７内の取得ユニットは、異なる取得手法において入力フィードバック情報の異なる内容を参照して入力フィードバック情報を取得し、内容のこの部分は以下で説明される。
【００７６】
入力フィードバック情報の具体的な内容は、本発明のこの実施形態では、具体的に限定されない。特定の実装形態の間、入力フィードバック情報は、処理される必要があるデータパケットを担持する無線信号が入力された瞬間を含む。具体的に、スケジュール可能な無線通信システムの場合、無線トランシーバスケジューリングおよび管理モジュール２０７は、現在のノードがデータを送信する必要がある時間を正確に得て、エアインタフェースを用いて相互作用することによって、通信ピア（ｐｅｅｒ）ノードがデータを現在のノードに送信する必要がある時間を決定することができる。したがって、処理される必要があるデータパケットを担持する無線信号の場合、無線トランシーバスケジューリングおよび管理モジュール２０７は、エアインタフェースを用いて相互作用することによってことによって、処理される必要があるデータパケットを担持する無線信号が入力された瞬間を正確に決定することができる。無線トランシーバスケジューリングおよび管理モジュール２０７によって決定される、処理される必要があるデータパケットを担持する無線信号が入力された瞬間は、処理される必要があるデータパケットを担持する無線信号を通信ピアノードが現在のノードに送信する瞬間であり、または、通信ピアノードによって送信され処理される必要があるデータパケットを担持する無線信号を現在のノードが受信する瞬間である。
【００７７】
結論として、無線トランシーバスケジューリングおよび管理モジュール２０７は、処理される必要があるデータパケットを担持する無線信号が入力された瞬間を正確に決定することができるので、無線トランシーバスケジューリングおよび管理モジュール２０７は、処理される必要があるデータパケットを担持する無線信号が入力された瞬間に従って、処理される必要があるデータパケットを担持する無線信号が入力された瞬間を含む入力フィードバック情報を生成する。この場合、第２の取得ユニットは、処理される必要があるデータパケットを担持する無線信号が入力された瞬間を取得するように構成され、第２の決定ユニットは、現在処理中である無線信号が受信された瞬間を決定し、現在処理中である無線信号が受信された瞬間と処理される必要があるデータパケットを担持する無線信号が入力された瞬間とのマッチングを実行し、現在処理中である無線信号が受信された瞬間が、処理される必要があるデータパケットを担持する無線信号が入力された瞬間と合致する場合、現在処理中である無線信号が、処理される必要があるデータパケットを担持すると決定する、または、現在処理中である無線信号が受信された瞬間が、処理される必要があるデータパケットを担持する無線信号が入力された瞬間と合致しない場合、現在処理中である無線信号が、処理される必要があるデータパケットを担持しないと決定するように構成される。
【００７８】
第２の決定ユニットが、現在処理中である無線信号が受信された瞬間を決定する手法は、本発明のこの実施形態では、具体的に限定されない。現在処理中である無線信号が受信された瞬間と処理される必要があるデータパケットを担持する無線信号が入力された瞬間とのマッチングを実行する手法の場合、処理される必要があるデータパケットを担持する無線信号の特定の内容が入力された瞬間を参照するさまざまなマッチング手法がある。具体的な詳細については、以下の２つの手法を参照されたい。
【００７９】
手法１：無線トランシーバスケジューリングおよび管理モジュール２０７によって決定される、処理される必要があるデータパケットを担持する無線信号が入力された瞬間が、現在のノードが、通信ピアノードによって送信され処理される必要があるデータパケットを担持する無線信号を受信する瞬間である場合、現在処理中である無線信号が受信された瞬間と処理される必要があるデータパケットを担持する無線信号が入力された瞬間とのマッチングを実行するとき、第２の決定モジュールは、現在処理中である無線信号が受信された瞬間と、無線トランシーバスケジューリングおよび管理モジュール２０７によって決定される、処理される必要があるデータパケットを担持する無線信号が入力された瞬間とのマッチングを直接実行する。この２つが一致するとき、現在処理中である無線信号が、処理される必要があるデータパケットを担持すると決定され、または、この２つが一致しないとき、現在処理中である無線信号が、処理される必要があるデータパケットを担持しないと決定される。
【００８０】
たとえば、無線トランシーバスケジューリングおよび管理モジュール２０７によって決定される、処理される必要があるデータパケットを担持する無線信号が入力された瞬間が、現在のノードが、通信ピアノードによって送信され処理される必要があるデータパケットを担持する無線信号を受信する瞬間であり、その瞬間が０９：１２：５３であり、現在処理中である無線信号が受信された瞬間も０９：１２：５３である場合、現在処理中である無線信号が、処理される必要があるデータパケットを担持すると決定される。
【００８１】
手法２：無線トランシーバスケジューリングおよび管理モジュール２０７によって決定される、処理される必要があるデータパケットを担持する無線信号が入力された瞬間が、処理される必要があるデータパケットを担持する無線信号を通信ピアノードが現在のノードに送信する瞬間である場合、現在処理中である無線信号が受信された瞬間と処理される必要があるデータパケットを担持する無線信号が入力された瞬間とのマッチングを実行するとき、第２の決定モジュールは、通信ピアノードによって送信され処理される必要があるデータパケットを担持する無線信号が空間内の現在のノードに伝搬される時間を、スケジューリングおよび管理モジュール２０７によって決定される、処理される必要があるデータパケットを担持する無線信号が入力された瞬間に追加する必要がある。すなわち、現在処理中である無線信号が受信された瞬間と、スケジューリングおよび管理モジュール２０７によって決定される、処理される必要があるデータパケットを担持する無線信号が入力された瞬間と通信ピアノードによって送信され処理される必要があるデータパケットを担持する無線信号が空間内の現在のノードに伝搬される時間との合計とのマッチングが実行される。この２つが一致するとき、現在処理中である無線信号が、処理される必要があるデータパケットを担持すると決定され、または、この２つが一致しないとき、現在処理中である無線信号が、処理される必要があるデータパケットを担持しないと決定される。
【００８２】
たとえば、無線トランシーバスケジューリングおよび管理モジュール２０７によって決定される、処理される必要があるデータパケットを担持する無線信号が入力された瞬間が、処理される必要があるデータパケットを担持する無線信号を通信ピアノードが送信する瞬間である場合、処理される必要があるデータパケットを担持する無線信号を通信ピアノードが送信する瞬間は０９：１２：５３であり、通信ピアノードによって送信され処理される必要があるデータパケットを担持する無線信号が空間内の現在のノードに伝搬される時間が２ｓ（秒）である場合、現在処理中である無線信号が受信された瞬間は０９：１２：５４であり、この２つは一致しないので、現在処理中である無線信号が、処理される必要があるデータパケットを担持しないと決定される。現在処理中である無線信号が受信された瞬間が０９：１２：５５である場合、現在処理中である無線信号が受信された瞬間は、管理スケジューリングおよび管理モジュール２０７によって決定される、処理される必要があるデータパケットを担持する無線信号が入力された瞬間と通信ピアノードによって送信され処理される必要があるデータパケットを担持する無線信号が空間内の現在のノードに伝搬される時間の合計と一致するので、現在処理中である無線信号が、処理される必要があるデータパケットを担持すると決定される。
【００８３】
さらに、無線通信システム内で、次のデータパケットが存在するかどうかを示すインジケーション情報は通常、無線信号内で担持されるデータパケット内に存在し、インジケーション情報は、情報処理モジュール２０３によって取得された無線信号を前処理することによって得られる。取得された無線信号を前処理し、無線信号内にあり、次の処理される必要があるデータパケットを担持する無線信号が存在することを示すインジケーション情報を決定するとき、情報処理モジュール２０３は、インジケーション情報を無線トランシーバスケジューリングおよび管理モジュール２０７に送信し、無線トランシーバスケジューリングおよび管理モジュール２０７は、インジケーション情報を前処理モジュール２０２に送信する。したがって、無線トランシーバスケジューリングおよび管理モジュール２０７内の取得ユニットは、情報処理モジュール２０３から、現在処理中である無線信号の前の信号のインジケーション情報を取得し、現在処理中である無線信号の前の信号のインジケーション情報を入力フィードバック情報として使用することによって、現在処理中である無線信号の前の信号のインジケーション情報を含む入力フィードバック情報を得るようにさらに構成される。この場合、第２の取得ユニットは、現在処理中である無線信号の前の信号のインジケーション情報を取得するように構成され、第２の決定ユニットは、現在処理中である無線信号の前の信号のインジケーション情報が、次の処理される必要があるデータパケットを担持する無線信号が存在することを示すかどうかを決定し、現在処理中である無線信号の前の信号のインジケーション情報が、次の処理される必要があるデータパケットを担持する無線信号が存在することを示すとき、現在処理中である無線信号が、処理される必要があるデータパケットを担持すると決定する、または、現在処理中である無線信号の前の信号のインジケーション情報が、次の処理される必要があるデータパケットを担持する無線信号が存在することを示さないとき、現在処理中である無線信号が、処理される必要があるデータパケットを担持しないと決定するように構成される。前の信号のインジケーション情報は、前の信号のフレーム内の１または複数のビット（ビット）を使用することによって示される。
【００８４】
第３の手法：無線信号が受信される前、少なくとも２つのアンテナが、無線信号を受信するように無線信号処理装置に対してあらかじめ設定される。アンテナは、処理される必要があるデータパケットを担持する無線信号を受信するように構成され、別のアンテナは、処理される必要があるデータパケットを担持しない無線信号を受信するように構成される。したがって、現在処理中である無線信号が、処理される必要があるデータパケットを担持するかどうかを決定するとき、前処理モジュール２０２は、現在処理中である無線信号を受信するアンテナを決定し、現在処理中である無線信号を受信するアンテナが、処理される必要があるデータパケットを担持する無線信号を受信するように構成されたあらかじめ設定されたアンテナであるかどうかを決定することによって、実装形態を実行する。この場合、前処理モジュール２０２は、現在処理中である無線信号を受信するアンテナを決定するように構成された第３の決定ユニットと、現在処理中である無線信号を受信するアンテナが、処理される必要があるデータパケットを担持する無線信号を受信するように構成されたあらかじめ設定されたアンテナであるかどうかを決定するように構成された第４の決定ユニットと、現在処理中である無線信号を受信するアンテナが、処理される必要があるデータパケットを担持する無線信号を受信するように構成されたあらかじめ設定されたアンテナであると決定されるとき、現在処理中である無線信号が、処理される必要があるデータパケットを担持すると決定する、または、現在処理中である無線信号を受信するアンテナが、処理される必要があるデータパケットを担持する無線信号を受信するように構成されたあらかじめ設定されたアンテナでないと決定されるとき、現在処理中である無線信号が、処理される必要があるデータパケットを担持しないと決定するように構成された第５の決定ユニットを含む。
【００８５】
信号処理装置に対して、処理される必要があるデータパケットを担持する無線信号を受信するように構成されたアンテナをあらかじめ設定する手法は、本発明のこの実施形態では、具体的に限定されない。特定の実装形態の間、この手法は、限定されるものではないが、その無線通信システムの動作チャネルの中心周波数と一致するように、処理される必要があるデータパケットを担持する無線信号を受信するように構成されたあらかじめ設定されたアンテナの受信周波数を調整することを含む。この場合、アンテナによって受信される無線信号は、処理される必要があるデータパケットを担持する無線信号である。
【００８６】
さらに、さまざまな無線信号がアンテナのまわりに存在するので、アンテナによって受信される信号は、その無線通信システムに送信される無線信号を含み、別の無線通信システムに送信される無線信号も含む。そのうえ、異なる無線通信システムは通常、異なる信号フォーマットに対応し、したがって、現在処理中である無線信号がその無線通信システムの無線信号であるかどうかを決定するために、無線信号処理装置は解析モジュール２０８をさらに含む。解析モジュール２０８は、現在処理中である無線信号を解析し、解析結果に従って、現在処理中である無線信号の信号フォーマットを取得するように構成され、したがって、前処理モジュール２０２は、現在処理中である無線信号がその無線通信システムの無線信号であるかどうかを、現在処理中である無線信号の信号フォーマットに従って決定し、現在処理中である無線信号がその無線通信システムの無線信号であると決定されたとき、前処理モジュール２０２が、現在処理中である無線信号が、処理される必要があるデータパケットを担持するかどうかを決定する。
【００８７】
解析モジュール２０８が、現在処理中である無線信号を解析する手法は、本発明のこの実施形態では、具体的に限定されない。無線信号の信号フォーマットは通常、無線信号のプリアンブルヘッダ内で担持されるので、解析モジュール２０８は、現在処理中である無線信号のプリアンブルヘッダを得て、このプリアンブルヘッダから無線信号の信号フォーマットを得るように現在処理中である無線信号を解析する。無線信号の信号フォーマットは、本発明のこの実施形態では、具体的に限定されない。前処理モジュール２０２が、現在処理中である無線信号の信号フォーマットに従って、現在処理中である無線信号がその無線通信システムの無線信号であるかどうかを決定する手法は、本発明のこの実施形態では、具体的に限定されない。特定の実装形態の間、無線信号の信号フォーマットは信号の波形などを含むので、前処理モジュール２０２は、解析モジュール２０８によって解析された信号波形を使用することによって、現在処理中である無線信号がその無線通信システムの無線信号であるかどうかを決定する。
【００８８】
現在処理中である無線信号は、現在処理中である無線信号の信号フォーマットを得るために解析され、したがって、その無線通信システムの無線信号に対して、前処理モジュール２０２は、現在処理中である無線信号が、処理される必要があるデータパケットを担持するかどうかを決定するステップを実行し、別の無線通信システムの無線信号に対しては、前処理モジュール２０２は、現在処理中である無線信号が、処理される必要があるデータパケットを担持するかどうかを決定するステップを実行せず、それによって、前処理モジュール２０２のリソースを節約する。
【００８９】
現在処理中である無線信号が、処理される必要があるデータパケットを担持すると決定する場合、前処理モジュール２０２は、現在処理中である無線信号を情報処理モジュール２０３に送信する。情報処理モジュール２０３は、現在処理中である無線信号内で担持されるデータパケット内で担持される通信情報を抽出する。
【００９０】
現在処理中である無線信号内で担持されるデータパケット内で担持される通信情報を情報処理モジュール２０３が抽出する手法は、本発明のこの実施形態では、具体的に限定されない。特定の実装形態の間、現在処理中である無線信号を受信した後、情報処理モジュール２０３は、現在処理中である無線信号上でＡ／Ｄ（アナログ／デジタル、アナログ−デジタル）変換を実行し、現在処理中である無線信号を復調して、現在処理中である無線信号内で担持されるデータパケット内で担持される通信情報を得る。
【００９１】
現在処理中である無線信号が、処理される必要があるデータパケットを担持しないと決定する場合、前処理モジュール２０２は、現在処理中である無線信号をエネルギー収集２０４に送信する。エネルギー収集モジュール２０４は、現在処理中である無線信号のエネルギーを収集する。
【００９２】
エネルギー収集モジュール２０４が現在処理中である無線信号のエネルギーを収集する手法は、本発明のこの実施形態では、具体的に限定されない。特定の実装形態の間、エネルギー収集モジュール２０４は、無線信号に対応するＡＣ（交流（Ａｌｔｅｒｎａｔｉｎｇ  Ｃｕｒｒｅｎｔ、ａｌｔｅｒｎａｔｉｎｇ  ｃｕｒｒｅｎｔ））をＤＣ（直流（Ｄｉｒｅｃｔ  Ｃｕｒｒｅｎｔ、ｄｉｒｅｃｔ  ｃｕｒｒｅｎｔ））に変換し、不安定なＤＣを安定したＤＣにさらに変換する。
【００９３】
取得された無線信号のエネルギーを収集した後、エネルギー収集モジュール２０４は、収集されたエネルギーを使用して、無線信号処理装置上で無線充電を実行する。無線充電によって、無線信号処理装置はもはや、有線充電に制限されず、したがって、充電は簡単かつ効率的になる。
【００９４】
任意選択で、エネルギー収集モジュール２０４によって収集されたエネルギーを貯蔵するために、無線信号処理装置は、エネルギー収集モジュール２０４によって収集された電気エネルギーを貯蔵し、電気エネルギーを信号処理装置内の他のモジュールに提供するように構成された電気エネルギー貯蔵モジュール２０５をさらに含む。
【００９５】
エネルギー収集モジュール２０４によって収集された電気エネルギーを電気エネルギー貯蔵モジュール２０５が貯蔵する手法は、本発明のこの実施形態では、具体的に限定されない。さらに、電気エネルギーを貯蔵した後、電気エネルギー貯蔵モジュール２０５は、電気エネルギーを信号処理装置内の他のモジュールに提供する。たとえば、電気エネルギー貯蔵モジュール２０５は、情報処理モジュール２０３が、処理される必要があるデータパケットを担持する無線信号を処理するように、電力を情報処理モジュール２０３に供給する。
【００９６】
さらに、電気エネルギー貯蔵モジュール２０５内に貯蔵されている電気の量に関する情報をリアルタイムで知るために、無線信号処理装置はバッテリ管理モジュール２０６をさらに含む。バッテリ管理モジュール２０６は、電気エネルギー貯蔵モジュール２０５の電気の量に関する情報を監視し、電気の量に関する情報を前処理モジュール２０２にフィードバックするように構成され、したがって、電気の量に関する情報を得た後、前処理モジュール２０２は、エネルギー収集モジュール２０４および情報処理モジュール２０３の作業をさらに制御する。
【００９７】
たとえば、バッテリ管理モジュール２０６が、電気エネルギー貯蔵モジュール２０５内に貯蔵される電気の量に関する情報が不十分さを示すことを前処理モジュール２０２にフィードバックする場合、前処理モジュール２０２は、より多くの無線信号を収集するように、エネルギー収集モジュール２０４の作業強度を強化するように制御する。または、バッテリ管理モジュール２０６が、電気エネルギー貯蔵モジュール２０５内に貯蔵される電気の量に関する情報が多量を示すことを前処理モジュール２０２にフィードバックする場合、前処理モジュール２０２は、エネルギー収集モジュール２０４の作業強度を弱めるように制御する。
【００９８】
少なくとも２つのアンテナが、無線信号を受信するために信号処理装置に割り当てられるとき、処理される必要があるデータパケットを担持しない無線信号を受信するように構成されたアンテナによって収集されるエネルギーは、電力を情報処理モジュールに供給するために直接使用されることが留意されるべきである。この場合、電気エネルギー貯蔵モジュール２０５およびバッテリ管理モジュール２０６はもはや、配置される必要がなくなり、したがって、無線信号処理装置の構成に関する要件は減少可能である。
【００９９】
任意選択で、アンテナによって信号を受信する強度をリアルタイムで制御し、アンテナの利得値をリアルタイムで調整するために、無線信号処理装置は利得調整モジュール２０９をさらに含む。利得調整モジュール２０９は、現在処理中である無線信号が、処理される必要があるデータパケットを担持するとき、現在処理中である無線信号を受信するアンテナの利得値を減少させ、または、現在処理中である無線信号が、処理される必要があるデータパケットを担持しないとき、現在処理中である無線信号を受信するアンテナの利得値を増加させるように構成される。
【０１００】
具体的には、現在処理中である無線信号が、処理される必要があるデータパケットを担持しない場合、空間内の無線信号が最大限に受信可能であることを確実にするために、より多くのエネルギーが収集可能であることを確実にするように、利得調整モジュール２０９は、現在処理中である無線信号を受信するアンテナの利得値を増加させる。現在処理中である無線信号が、処理される必要があるデータパケットを担持する場合、利得調整モジュール２０９は、現在処理中である無線信号を受信するアンテナの利得値を適切に減少させ、エネルギー保存の目的を達成する。
【０１０１】
本発明のこの実施形態において提供される装置によれば、前処理モジュールは、現在処理中である無線信号が、処理される必要があるデータパケットを担持するかどうかを決定し、決定された結果に従って、現在処理中である無線信号が情報処理モジュールまたはエネルギー収集モジュールに割り当てられ、処理を実行する。これは、受信された現在処理中である無線信号は、通信のために使用されないまたは無線充電のために使用されない無線信号であり、現在処理中である無線信号は破棄されるので、リソースを浪費することを回避することができるだけでなく、受信された無線信号を十分に使用し、それによって、受信された無線信号を使用する使用法を改善することもできる。さらに、現在処理中である無線信号が受信された後、現在処理中である無線信号が、処理される必要があるデータパケットを担持するかどうかに関係なく、現在処理中である無線信号が処理される。したがって、現在処理中である無線信号が受信されるので、システムリソース浪費が引き起こされることが回避され、したがって、無線信号処理効率が改善可能である。
【０１０２】
図１に示される実装環境の概略図を参照して、図６は、例示的な実施形態による無線信号処理方法の流れ図を提供し、この方法は、図２ないし図５に対応する実施形態において提供される無線信号処理装置に適用される。図６を参照すると、本発明のこの実施形態において提供される方法の手順は、以下を含む。
【０１０３】
６０１。その無線通信システムのアンテナによって受信された少なくとも１つの無線信号を取得する。
【０１０４】
６０２。現在処理中である無線信号が、処理される必要があるデータパケットを担持するかどうかを決定する。
【０１０５】
６０３。現在処理中である無線信号が、処理される必要があるデータパケットを担持する場合、現在処理中である無線信号内で担持されるデータパケット内で担持される通信情報を抽出する。
【０１０６】
６０４。現在処理中である無線信号が、処理される必要があるデータパケットを担持しないとき、現在処理中である無線信号のエネルギーを収集する。
【０１０７】
本発明のこの実施形態において提供される方法に従って、現在処理中である無線信号が、処理される必要があるデータパケットを担持するかどうかが決定され、したがって、決定結果に従って、情報処理またはエネルギー収集が、現在処理中である無線信号上で実行される。これは、受信された現在処理中である無線信号は、通信のために使用されないまたは無線充電のために使用されない無線信号であり、現在処理中である無線信号は破棄されるので、リソースを浪費することを回避することができるだけでなく、受信された無線信号を十分に使用し、それによって、受信された無線信号を使用する使用法を改善することもできる。さらに、現在処理中である無線信号が受信された後、現在処理中である無線信号が、処理される必要があるデータパケットを担持するかどうかに関係なく、現在処理中である無線信号が処理される。したがって、現在処理中である無線信号が受信されるので、システムリソース浪費が引き起こされることが回避され、したがって、無線信号処理効率が改善可能である。
【０１０８】
図１に示される実装環境を参照して、図７は、例示的な実施形態による無線信号処理方法の流れ図を提供し、この方法は、図２ないし図５に対応する実施形態において提供される無線信号処理装置に適用される。図７を参照すると、本発明のこの実施形態において提供される方法の手順は、以下を含む。
【０１０９】
７０１。その無線通信システムのアンテナによって受信された少なくとも１つの無線信号を取得する。
【０１１０】
無線信号上で処理を実施するために、無線信号を受信および送信するように構成された１または複数のアンテナは通常、その無線通信システムに配置される。さらに、アンテナのまわりの空間内に、さまざまな無線信号が存在し、アンテナは多くの無線信号を受信し、信号は、アンテナに送信される無線信号を含み、別のデバイスに送信される無線信号も含む。したがって、受信された無線信号を処理するために、その無線通信システムのアンテナによって受信される少なくとも１つの無線信号が取得される必要がある。
【０１１１】
その無線通信システムのアンテナによって受信された少なくとも１つの無線信号は、多くの手法において取得され、特定の実装形態の間、アンテナが無線信号を受信した後、アンテナによって受信された無線信号は、取得された無線信号として直接使用される。
【０１１２】
７０２。現在処理中である無線信号が、処理される必要があるデータパケットを担持するかどうかを決定する。
【０１１３】
本発明のこの実施形態では、説明の容易さのために、現在処理中である無線信号が、アンテナに送信される信号である場合、現在処理中である無線信号は、処理される必要があるデータパケットを担持すると決定される。または、現在処理中である無線信号が、アンテナに送信される信号でない場合、現在処理中である無線信号は、処理される必要があるデータパケットを担持しないと決定される。本発明のこの実施形態では、処理される必要があるデータパケットを担持する無線信号と処理される必要があるデータパケットを担持しない無線信号は、異なる手法において処理される。したがって、現在処理中である無線信号が、処理される必要があるデータパケットを担持するかどうかが決定される必要がある。
【０１１４】
多くの手法において、現在処理中である無線信号が、処理される必要があるデータパケットを担持するかどうかが決定され、特定の実装形態の間、手法は、限定されるものではないが、以下の手法を含む。
【０１１５】
第１の手法：現在処理中である無線信号の信号特性が取得され、現在処理中である無線信号の信号特性に従って、現在処理中である無線信号が、処理される必要があるデータパケットを担持するかどうかが決定される。
【０１１６】
信号特性の具体的な内容は、本発明のこの実施形態では、限定されない。特定の実装形態の間、各無線通信システムの動作チャネルは特定の中心周波数を有するので、デバイスは、その無線通信システムの動作チャネルの中心周波数と合致する、受信された無線信号を処理する。したがって、信号特性は、限定されるものではないが、信号の中心周波数を含む。これに基づいて、現在処理中である無線信号が、処理される必要があるデータパケットを担持するかどうかを決定する手法は、限定されるものではないが、現在処理中である無線信号の中心周波数を取得することと、現在処理中である無線信号の中心周波数とその無線通信システムの動作チャネルの中心周波数とのマッチングを実行して、実装を実行することとを含む。現在処理中である無線信号の中心周波数がその無線通信システムの動作チャネルの中心周波数と一致する場合、現在処理中である無線信号が、処理される必要があるデータパケットを担持すると決定される。または、現在処理中である無線信号の中心周波数がその無線通信システムの動作チャネルの中心周波数と一致しない場合、現在処理中である無線信号が、処理される必要があるデータパケットを担持しないと決定される。
【０１１７】
多くの手法において、現在処理中である無線信号の中心周波数が取得されてよく、特定の実装形態の間、現在処理中である無線信号の中心周波数は、フィルタを使用することによって決定され、フィルタを使用することによって決定される、現在処理中である無線信号の中心周波数は、取得された現在処理中である無線信号の中心周波数として使用される。現在処理中である無線信号の中心周波数とその無線通信システムの動作チャネルの中心周波数とのマッチングを実行する手法は、本発明のこの実施形態では、具体的には限定されない。特定の実装形態の間、その無線通信システムの動作チャネルの中心周波数はあらかじめ記憶されてよい。したがって、現在処理中である無線信号の中心周波数が取得された後、あらかじめ記憶されたその無線通信システムの動作チャネルの中心周波数が順次取得されてよく、現在処理中である無線信号の中心周波数とその無線通信システムの動作チャネルの中心周波数とのマッチングが実行される。
【０１１８】
さらに、フィルタを使用することによって、現在処理中である無線信号の中心周波数が取得されるとき、フィルタの中心周波数は、その無線通信システムの動作チャネルの中心周波数と一致するようにさらに設定される。したがって、現在処理中である無線信号がフィルタによってフィルタ除去されるかどうかを決定することによって、現在処理中である無線信号が、処理される必要があるデータパケットを担持するかどうかが決定されてよい。現在処理中である無線信号がフィルタによってフィルタ除去される場合、現在処理中である無線信号の中心周波数がフィルタの中心周波数と一致しないと決定される、すなわち現在処理中である無線信号が、処理される必要があるデータパケットを担持しないと決定される。または、現在処理中である無線信号がフィルタを通過する場合、現在処理中である無線信号が、処理される必要があるデータパケットを担持すると決定される。
【０１１９】
第２の手法：その無線通信システムがスケジュール可能な無線通信システムである場合、無線通信システムは、信号が受信および送信された時間などの内容に対して管理およびスケジューリングを実行してよく、したがって、現在のノードは、処理される必要があるデータパケットを担持する無線信号が送信される時間、送信された無線信号内にインジケーション情報が存在するかどうかなどを正確に取得することができ、すべての情報は、入力フィードバック情報として使用されてよい。処理される必要があるデータパケットを担持する無線信号が送信された瞬間、および処理される必要があるデータパケットを担持する無線信号が受信された瞬間などの情報は、入力フィードバック情報を使用することによって決定可能であるので、その無線通信システムの入力フィードバック情報を取得することによって、現在処理中である無線信号が、処理される必要があるデータパケットを担持するかどうかが決定されてよい。
【０１２０】
入力フィードバック情報の具体的な内容は、本発明のこの実施形態では、具体的に限定されない。入力フィードバック情報の具体的な内容が異なるとき、同じくさまざまな手法において入力フィードバック情報に従って、現在処理中である無線信号が、処理される必要があるデータパケットを担持するかどうかが決定される。具体的には、スケジュール可能な無線通信システムに対して、現在のノードは、現在のノードがデータを送信する必要がある時間を正確に得て、エアインタフェースを用いて相互作用することによって、通信ピアノードがデータを現在のノードに送信する必要がある時間を決定することができる。したがって、処理される必要があるデータパケットを担持する無線信号の場合、現在のノードは、エアインタフェースを用いて相互作用することによってことによって、処理される必要があるデータパケットを担持する無線信号が入力された瞬間を正確に決定することができる。
【０１２１】
現在のノードによって決定される、処理される必要があるデータパケットを担持する無線信号が入力された瞬間は、を通信ピアノードが現在のノードに送信する、処理される必要があるデータパケットを担持する無線信号瞬間であってよく、または、通信ピアノードによって送信されおよび処理される必要があるデータパケットを担持する無線信号を現在のノードが受信する瞬間でよい。したがって、入力フィードバック情報は、限定されるものではないが、処理される必要があるデータパケットを担持する無線信号が入力された瞬間を含む。
【０１２２】
入力フィードバック情報が、処理される必要があるデータパケットを担持する無線信号が入力された瞬間を含むとき、現在のノードは、決定された、処理される必要があるデータパケットを担持する無線信号が入力された瞬間に従って、処理される必要があるデータパケットを担持する無線信号が入力された瞬間を含む入力フィードバック情報を生成してよい。これに基づいて、処理される必要があるデータパケットを担持する無線信号が入力された瞬間が取得され、現在処理中である無線信号が受信された瞬間が決定されてよく、したがって、現在処理中である無線信号が受信された瞬間と処理される必要があるデータパケットを担持する無線信号が入力された瞬間とのマッチングが実行される。現在処理中である無線信号が受信された瞬間が、処理される必要があるデータパケットを担持する無線信号が入力された瞬間と合致する場合、現在処理中である無線信号が、処理される必要があるデータパケットを担持すると決定される。または、現在処理中である無線信号が受信された瞬間が、処理される必要があるデータパケットを担持する無線信号が入力された瞬間と合致しない場合、現在処理中である無線信号が、処理される必要があるデータパケットを担持しないと決定される。
【０１２３】
現在処理中である無線信号が受信された瞬間を決定する手法および現在処理中である無線信号が受信された瞬間と処理される必要があるデータパケットを担持する無線信号が入力された瞬間とのマッチングを実行する手法については、図５に対応する実施形態において特定の実装手法に対して参照がなされ、詳細は、本明細書では、再度説明されない。
【０１２４】
さらに、スケジュール可能な無線通信システムでは、次のデータパケットが存在するかどうかを示すインジケーション情報は通常、無線信号内で担持されるデータパケット内に存在する。したがって、現在処理中である無線信号が、処理される必要があるデータパケットを担持するかどうかが決定されるとき、現在処理中である無線信号の前の信号は、現在処理中である無線信号の前の信号のインジケーション情報を取得するために処理されてよい。この場合、入力フィードバック情報は、さらに、現在処理中である無線信号の前の信号のインジケーション情報である。この場合、現在処理中である無線信号が、処理される必要があるデータパケットを担持するかどうかが決定されると、現在処理中である無線信号の前の信号のインジケーション情報が取得され、現在処理中である無線信号の前の信号のインジケーション情報が、次の処理される必要があるデータパケットを担持する無線信号が存在するかどうかを示すと決定される。現在処理中である無線信号の前の信号のインジケーション情報が、次の処理される必要があるデータパケットを担持する無線信号が存在することを示す場合、現在処理中である無線信号が、処理される必要があるデータパケットを担持すると決定される。または、現在処理中である無線信号の前の信号のインジケーション情報が、次の処理される必要があるデータパケットを担持する無線信号が存在することを示さない場合、現在処理中である無線信号が、処理される必要があるデータパケットを担持しないと決定される。
【０１２５】
第３の手法：無線信号が受信される前、少なくとも２つのアンテナが、無線信号を受信するように、その無線通信システム内であらかじめ設定されてよい。アンテナは、処理される必要があるデータパケットを担持する無線信号を受信するように構成され、別のアンテナは、処理される必要があるデータパケットを担持しない無線信号を受信するように構成される。したがって、現在処理中である無線信号が、処理される必要があるデータパケットを担持するかどうかが決定されるとき、実装形態は、現在処理中である無線信号を受信するアンテナを決定し、現在処理中である無線信号を受信するアンテナが、処理される必要があるデータパケットを担持する無線信号を受信するように構成されたあらかじめ設定されたアンテナであるかどうかを決定することによって、実行されてよい。現在処理中である無線信号を受信するアンテナが、処理される必要があるデータパケットを担持する無線信号を受信するように構成されたあらかじめ設定されたアンテナであると決定される場合、現在処理中である無線信号が、処理される必要があるデータパケットを担持すると決定され、または、現在処理中である無線信号を受信するアンテナが、処理される必要があるデータパケットを担持する無線信号を受信するように構成されたあらかじめ設定されたアンテナでないと決定される場合、現在処理中である無線信号が、処理される必要があるデータパケットを担持しないと決定される。
【０１２６】
処理される必要があるデータパケットを担持する無線信号を受信するアンテナをあらかじめ設定する手法は、限定されるものではないが、その無線通信システムの動作チャネルの中心周波数と一致するように、処理される必要があるデータパケットを担持する無線信号を受信するアンテナの受信周波数を調整することを含む。この場合、アンテナによって受信される無線信号は、処理される必要があるデータパケットを担持する無線信号である。
【０１２７】
さらに、さまざまな無線信号がアンテナのまわりに存在するので、アンテナによって受信される信号は、その無線通信システムに送信される無線信号を含んでよく、別の無線通信システムに送信される無線信号も含んでよい。さらに、異なる無線通信システム異なる信号フォーマットに対応し、したがって、現在処理中である無線信号が、その無線通信システムに送信される無線信号であるかどうかを決定するために、現在処理中である無線信号が、処理される必要があるデータパケットを担持するかどうかが決定される前に、現在処理中である無線信号がさらに解析されてよく、解析結果に従って、現在処理中である無線信号の信号フォーマットが得られてよく、したがって、現在処理中である無線信号の信号フォーマットに従って、現在処理中である無線信号がその無線通信システムの無線信号であるかどうかが決定されてよい。現在処理中である無線信号が、その無線通信システムの無線信号であると決定される場合、現在処理中である無線信号が、処理される必要があるデータパケットを担持するかどうかを決定するステップが実行される。
【０１２８】
現在処理中である無線信号を解析する手法は、本発明のこの実施形態では、具体的に限定されない。無線信号の信号フォーマットは通常、無線信号のプリアンブルヘッダ内で担持されるので、現在処理中である無線信号のプリアンブルヘッダを得て、このプリアンブルヘッダから無線信号の信号フォーマットを得るために、現在処理中である無線信号が解析される。無線信号の信号フォーマットは、本発明のこの実施形態では、具体的に限定されない。
【０１２９】
多くの手法では、現在処理中である無線信号がその無線通信システムの無線信号であるかどうかが、現在処理中である無線信号の信号フォーマットに従って決定される。特定の実装形態の間、無線信号の信号フォーマットは信号の波形などを含むので、解析された信号波形を使用することによって、現在処理中である無線信号がその無線通信システムの無線信号であるかどうかが決定される。
【０１３０】
現在処理中である無線信号は、現在処理中である無線信号の信号フォーマットを得るために解析され、その無線通信システムの無線信号に対して、現在処理中である無線信号が、処理される必要があるデータパケットを担持するかどうかを決定するステップが実行され、別の無線通信システムの無線信号に対しては、現在処理中である無線信号が、処理される必要があるデータパケットを担持するかどうかを決定するステップが実行されず、それによって、システムリソースを節約することが確実化される。
【０１３１】
７０３。現在処理中である無線信号が、処理される必要があるデータパケットを担持する場合、現在処理中である無線信号内で担持されるデータパケット内で担持される通信情報を抽出する。
【０１３２】
現在処理中である無線信号内で担持されるデータパケット内で担持される通信情報を抽出する手法は、本発明のこの実施形態では、具体的に限定されない。特定の実装形態の間、現在処理中である無線信号を受信した後、Ａ／Ｄ（アナログ／デジタル、アナログ−デジタル）変換が現在処理中である無線信号上で実行され、現在処理中である無線信号は、現在処理中である無線信号内で担持されるデータパケット内で担持される通信情報を得るために変調されてよい。
【０１３３】
７０４。現在処理中である無線信号が、処理される必要があるデータパケットを担持しない場合、現在処理中である無線信号のエネルギーを収集する。
【０１３４】
現在処理中である無線信号のエネルギーを収集する手法は、本発明のこの実施形態では、具体的に限定されない。特定の実装形態の間、無線信号に対応するＡＣ（交流）がＤＣ（直流）に変換され、不安定なＤＣが安定したＤＣにさらに変換される。
【０１３５】
取得された無線信号のエネルギーが収集された後、収集されたエネルギーは、無線信号処理装置上で無線充電を実行するために使用されてよい。無線充電によって、無線信号処理装置はもはや、有線充電に制限されず、したがって、充電は簡単かつ効率的になる。
【０１３６】
任意選択で、取得された無線信号のエネルギーが収集された後、収集された電気エネルギーは、電力をシステムに供給するためにさらに貯蔵される。さらに、貯蔵されている電気の量に関する情報をリアルタイムで知るために、貯蔵されている電気の量に関する情報はリアルタイムでさらに監視され、システムの作業は、貯蔵されている電気の量に関する情報に従って制御される。
【０１３７】
たとえば、監視を通じて、貯蔵されている電気の量に関する情報が不十分さを示すことが得られる場合、より多くの無線信号を収集するように、制御は、エネルギー収集強度を強めるように実行されてよい。または、監視を通じて、貯蔵されている電気の量に関する情報が豊富さを示す場合、制御は、エネルギー収集強度を弱めるように実行されてよい。
【０１３８】
前述のステップ７０１ないし７０４を使用することによって、現在受信されている無線信号に対する情報処理を実行するプロセスが完了される。アンテナによって受信された信号の強度をリアルタイムで制御するために、現在処理中である無線信号に対して効率的な処理を実施するように、現在処理中である無線信号が取得された後、以下の任意選択のステップ７０５がさらに含まれる。
【０１３９】
７０５。現在処理中である無線信号が、処理される必要があるデータパケットを担持する場合、現在処理中である無線信号を受信するアンテナの利得値を減少させ、または、現在処理中である無線信号が、処理される必要があるデータパケットを担持しない場合、現在処理中である無線信号を受信するアンテナの利得値を増加させる。
【０１４０】
具体的には、現在処理中である無線信号が、処理される必要があるデータパケットを担持しない場合、空間内の無線信号が最大限に受信可能であることを確実にするために、より多くのエネルギーが収集可能であることを確実にするように、現在処理中である無線信号を受信するアンテナの利得値が増加されてよい。現在処理中である無線信号が、処理される必要があるデータパケットを担持する場合、現在処理中である無線信号を受信するアンテナの利得値が適切に減少されてよく、エネルギー保存の目的を達成する。
【０１４１】
本発明のこの実施形態において提供される方法に従って、現在処理中である無線信号が、処理される必要があるデータパケットを担持するかどうかが決定され、したがって、決定結果に従って、情報処理またはエネルギー収集が、現在処理中である無線信号上で実行される。これは、受信された現在処理中である無線信号は、通信のために使用されないまたは無線充電のために使用されない無線信号であり、現在処理中である無線信号は破棄されるので、リソースを浪費することを回避することができるだけでなく、受信された無線信号を十分に使用し、それによって、受信された無線信号を使用する使用法を改善することもできる。さらに、現在処理中である無線信号が受信された後、現在処理中である無線信号が、処理される必要があるデータパケットを担持するかどうかに関係なく、現在処理中である無線信号が処理される。したがって、現在処理中である無線信号が受信されるので、システムリソース浪費が引き起こされることが回避され、したがって、無線信号処理効率が改善可能である。
【０１４２】
図８は、例示的な実施形態に従って端末を提供し、この端末は、図６または図７に対応する実施形態において提供される無線信号処理方法を実行するように構成される。図８を参照すると、端末は、少なくとも１つのプロセッサ８０１と受信機８０２とを含む。
【０１４３】
受信機８０２は、その無線通信システムのアンテナによって受信された少なくとも１つの無線信号を取得するように構成される。
【０１４４】
プロセッサ８０１は、現在処理中である無線信号が、処理される必要があるデータパケットを担持するかどうかを決定するように構成される。
【０１４５】
プロセッサ８０１は、現在処理中である無線信号が、処理される必要があるデータパケットを担持するとき、現在処理中である無線信号内で担持されるデータパケット内で担持される通信情報を抽出するようにさらに構成される。
【０１４６】
プロセッサ８０１は、現在処理中である無線信号が、処理される必要があるデータパケットを担持しないとき、現在処理中である無線信号のエネルギーを収集するようにさらに構成される。
【０１４７】
任意選択で、プロセッサ８０１は、現在処理中である無線信号の信号特性を取得し、現在処理中である無線信号の信号特性に従って、現在処理中である無線信号が、処理される必要があるデータパケットを担持するかどうかを決定するようにさらに構成される。
【０１４８】
任意選択で、信号特性は信号の中心周波数を含み、プロセッサ８０１は、現在処理中である無線信号の中心周波数を取得し、現在処理中である無線信号の中心周波数とその無線通信システムの動作チャネルの中心周波数とのマッチングを実行し、現在処理中である無線信号の中心周波数がその無線通信システムの動作チャネルの中心周波数と一致するとき、現在処理中である無線信号は、処理される必要があるデータパケットを担持すると決定するようにさらに構成される。
【０１４９】
任意選択で、プロセッサ８０１は、入力フィードバック情報を取得し、現在処理中である無線信号が、処理される必要があるデータパケットを担持するかどうかを入力フィードバック情報に従って決定するようにさらに構成される。
【０１５０】
任意選択で、入力フィードバック情報は、処理される必要があるデータパケットを担持する無線信号が入力された瞬間を含み、プロセッサ８０１は、処理される必要があるデータパケットを担持する無線信号が入力された瞬間を取得し、現在処理中である無線信号が受信された瞬間を決定し、現在処理中である無線信号が受信された瞬間と処理される必要があるデータパケットを担持する無線信号が入力された瞬間とのマッチングを実行し、現在処理中である無線信号が受信された瞬間が、処理される必要があるデータパケットを担持する無線信号が入力された瞬間と合致する場合、現在処理中である無線信号は、処理される必要があるデータパケットを担持すると決定するようにさらに構成される。
【０１５１】
任意選択で、プロセッサ８０１は、処理される必要があるデータパケットを担持する無線信号が入力された瞬間を決定し、処理される必要があるデータパケットを担持する無線信号が入力された瞬間を含む入力フィードバック情報を生成するようにさらに構成される。
【０１５２】
任意選択で、入力フィードバック情報は、現在処理中である無線信号の前の信号のインジケーション情報を含み、プロセッサ８０１は、現在処理中である無線信号の前の信号のインジケーション情報を取得し、現在処理中である無線信号の前の信号のインジケーション情報が、処理される必要があるデータパケットを担持する次の無線信号が存在することを示すかどうかを決定し、現在処理中である無線信号の前の信号のインジケーション情報が、処理される必要があるデータパケットを担持する次の無線信号が存在することを示すとき、現在処理中である無線信号が、処理される必要があるデータパケットを担持すると決定するようにさらに構成される。
【０１５３】
任意選択で、プロセッサ８０１は、現在処理中である無線信号の前の信号を処理し、現在処理中である無線信号の前の信号のインジケーション情報を取得し、現在処理中である無線信号の前の信号のインジケーション情報を含む入力フィードバック情報を、現在処理中である無線信号の前の信号のインジケーション情報を入力フィードバック情報として使用することによって、取得するようにさらに構成される。
【０１５４】
任意選択で、プロセッサ８０１は、現在処理中である無線信号を受信するアンテナを決定し、現在処理中である無線信号を受信するアンテナが、処理される必要があるデータパケットを担持する無線信号を受信するように構成されたあらかじめ設定されたアンテナであるかどうかを決定し、現在処理中である無線信号を受信するアンテナが、処理される必要があるデータパケットを担持する無線信号を受信するように構成されたあらかじめ設定されたアンテナであると決定されたとき、現在処理中である無線信号が、処理される必要があるデータパケットを担持すると決定されるようにさらに構成される。
【０１５５】
任意選択で、プロセッサ８０１は、現在処理中である無線信号を解析し、解析結果に従って、現在処理中である無線信号の信号フォーマットを得て、現在処理中である無線信号の信号フォーマットに従って、現在処理中である無線信号がそのシステムの無線信号であるかどうかを決定し、現在処理中である無線信号がそのシステムの無線信号であると決定されるとき、現在処理中である無線信号が、処理される必要があるデータパケットを担持するかどうかを決定するようにさらに構成される。
【０１５６】
任意選択で、プロセッサ８０１は、現在処理中である無線信号が、処理される必要があるデータパケットを担持するとき、現在処理中である無線信号を受信するアンテナの利得値を減少させ、または、現在処理中である無線信号が、処理される必要があるデータパケットを担持しないとき、現在処理中である無線信号を受信するアンテナの利得値を増加させるようにさらに構成される。
【０１５７】
本発明のこの実施形態において提供される端末によれば、プロセッサは、現在処理中である無線信号が、処理される必要があるデータパケットを担持するかどうかを決定し、したがって、決定結果に従って、情報処理またはエネルギー収集が、現在処理中である無線信号上で実行される。これは、受信された現在処理中である無線信号は、通信のために使用されないまたは無線充電のために使用されない無線信号であり、現在処理中である無線信号は破棄されるので、リソースを浪費することを回避することができるだけでなく、受信された無線信号を十分に使用し、それによって、受信された無線信号を使用する使用法を改善することもできる。さらに、現在処理中である無線信号が受信された後、現在処理中である無線信号が、処理される必要があるデータパケットを担持するかどうかに関係なく、現在処理中である無線信号が処理される。したがって、現在処理中である無線信号が受信されるので、システムリソース浪費が引き起こされることが回避され、したがって、無線信号処理効率が改善可能である。
【０１５８】
前述の実施形態において提供された無線信号処理装置および端末が無線信号を処理するとき、前述の機能モジュールは、例示的な説明の目的で分類されるにすぎないことに留意されるべきである。実際の適用例では、前述の機能は、要件による実装のために異なる機能モジュールに割り当てられる。すなわち、デバイスの内部構造は、上記で説明されたすべてまたはいくつかの機能を実行するために、異なる機能モジュールに分割される。さらに、前述の実施形態において提供される無線信号処理装置および端末は、無線信号処理方法の実施形態のそれと同じアイデアに属する。その特定の実装プロセスについては、方法実施形態を参照されたい。詳細は、本明細書では再度説明されない。
【０１５９】
当業者は、実施形態のステップのうちのすべてまたはいくつかはハードウェアまたは関連ハードウェアに命令するプログラムによって実施されることを理解する。プログラムは、コンピュータ可読記憶媒体に記憶される。記憶媒体は、読み出し専用メモリ、磁気ディスク、または光ディスクを含む。
【０１６０】
前述の説明は本発明の例示的な実施形態にすぎず、本発明を限定することを意図するものではない。本発明の趣旨および原理から逸脱することなくなされる任意の修正、等価な置き換え、および改善は、本発明の保護範囲に含まれるものとする。
【図１】
0006383005.tif 000002
【図２】
0006383005.tif 000003
【図３】
0006383005.tif 000004
【図４】
0006383005.tif 000005
【図５】
0006383005.tif 000006
【図６】
0006383005.tif 000007
【図７】
0006383005.tif 000008
【図８】
0006383005.tif 000009